(57)【要約】  本発明はＳＲＳを伝送する方法、ネットワーク機器及び端末装置を開示する。該方法は、ネットワーク機器は第１アップリンクサブフレームの中のＳＲＳを伝送するための複数のシンボルを確定すること、前記ネットワーク機器は複数の端末装置内の各端末装置へ第１指示情報を送信し、前記第１指示情報は前記複数のシンボル内の前記各端末装置に対応したシンボルを指示するためのものであり、前記複数の端末装置内の第１端末装置は前記複数のシンボル内の第１シンボルに対応し、前記第１シンボルは前記第１端末装置のＳＲＳを伝送することに用いられることを含む。このように、ネットワーク機器と端末装置とはアップリンクダウンリンクチャネル可逆性によって伝送する過程において、チャネル特性エージングによる影響を減少することができる。
2019535171.tif 000002
【特許請求の範囲】
【請求項１】
チャネルサウンディング基準信号（ＳＲＳ）を伝送する方法であって、
ネットワーク機器は第１アップリンクサブフレームの中のＳＲＳを伝送するための複数のシンボルを確定すること、及び
前記ネットワーク機器は複数の端末装置内の各端末装置へ第１指示情報を送信し、前記第１指示情報は前記複数のシンボル内の前記各端末装置に対応したシンボルを指示するためのものであり、前記複数の端末装置内の第１端末装置は前記複数のシンボル内の第１シンボルに対応し、前記第１シンボルは前記第１端末装置のＳＲＳを伝送することに用いられること、
を含む、ことを特徴とするＳＲＳを伝送する方法。
【請求項２】
前記第１アップリンクサブフレームと前記第１アップリンクサブフレームの後の最初のダウンリンクサブフレームとの間のサブフレームの数は所定の数より小さい又は等しい
ことを特徴とする請求項１に記載の方法。
【請求項３】
前記第１アップリンクサブフレームの次のサブフレームはダウンリンクサブフレームである
ことを特徴とする請求項１又は２に記載の方法。
【請求項４】
前記第１端末装置のＳＲＳを伝送するための前記第１シンボルの長さは、前記第１端末装置のダウンリンクデータを伝送するための第２シンボルの長さと同じではない
ことを特徴とする請求項１〜３のいずれか１項に記載の方法。
【請求項５】
前記方法は更に、
前記ネットワーク機器は前記第１端末装置のＳＲＳを伝送するための周波数領域リソースを確定することを含み、
前記ネットワーク機器は前記第１端末装置へ送信する前記第１指示情報は、前記第１端末装置のＳＲＳを伝送するための周波数領域リソースを更に指示する
ことを特徴とする請求項１〜４のいずれか１項に記載の方法。
【請求項６】
前記第１端末装置のダウンリンクデータを伝送するための周波数領域の範囲は、前記第１端末装置のＳＲＳを伝送するための周波数領域の範囲と同じである
ことを特徴とする請求項１〜５のいずれか１項に記載の方法。
【請求項７】
前記方法は更に、
前記ネットワーク機器は前記第１端末装置が送信した前記第１端末装置のチャネル変化速度を指示するための第２指示情報を受信することを含む
ことを特徴とする請求項１〜６のいずれか１項に記載の方法。
【請求項８】
前記方法は更に、
前記ネットワーク機器は前記チャネル変化速度に基づき、前記第１端末装置のダウンリンクデータを伝送するための第２シンボルを確定することを含み、
前記ネットワーク機器は前記第１端末装置へ送信する前記第１指示情報は、前記第１端末装置のダウンリンクデータを伝送するための第２シンボルを更に指示する
ことを特徴とする請求項７に記載の方法。
【請求項９】
前記複数のシンボルは第２端末装置のＳＲＳを伝送するためのシンボルを更に含み、前記第１端末装置のチャネル変化速度は前記第２端末装置のチャネル変化速度より大きく、
前記第１端末装置のＳＲＳを伝送するための前記第１シンボルは、前記第２端末装置のＳＲＳを伝送するためのシンボルの後に位置し、且つ前記第１端末装置のダウンリンクデータを伝送するための第２シンボルは、前記第２端末装置のダウンリンクデータを伝送するためのシンボルの前に位置する
ことを特徴とする請求項７又は８に記載の方法。
【請求項１０】
前記第２指示情報は前記第１端末装置のチャネル変化速度の大きさ、或いは前記第１端末装置のチャネル変化速度に対応した速度ランクを含む
ことを特徴とする請求項７又は９に記載の方法。
【請求項１１】
チャネルサウンディング基準信号（ＳＲＳ）を伝送する方法であって、前記方法は、
第１端末装置はネットワーク機器が送信した第１指示情報を受信し、前記第１指示情報は第１アップリンクサブフレームにおける前記第１端末装置のＳＲＳを伝送するための第１シンボルを指示し、前記第１アップリンクサブフレームは複数の端末装置のＳＲＳを伝送するための複数のシンボルを含み、前記複数の端末装置は前記第１端末装置を含み、前記複数のシンボルは前記第１シンボルを含むこと、及び
前記第１端末装置は前記第１シンボルで前記ネットワーク機器へ前記第１端末装置のＳＲＳを送信すること、
を含む、ことを特徴とするＳＲＳを伝送する方法。
【請求項１２】
前記第１アップリンクサブフレームと前記第１アップリンクサブフレームの後の最初のダウンリンクサブフレームとの間のサブフレームの数は所定の数より小さい又は等しい
ことを特徴とする請求項１１に記載の方法。
【請求項１３】
前記第１アップリンクサブフレームの次のサブフレームはダウンリンクサブフレームである
ことを特徴とする請求項１１又は１２に記載の方法。
【請求項１４】
前記第１端末装置のＳＲＳを伝送するための前記第１シンボルの長さは、前記第１端末装置のダウンリンクデータを伝送するための第２シンボルの長さと同じではない
ことを特徴とする請求項１１〜１３のいずれか１項に記載の方法。
【請求項１５】
前記第１端末装置が前記ネットワーク機器から受信した前記第１指示情報は、前記第１端末装置のＳＲＳを伝送するための周波数領域リソースを更に指示する
ことを特徴とする請求項１１〜１４のいずれか１項に記載の方法。
【請求項１６】
前記第１端末装置のダウンリンクデータを伝送するための周波数領域の範囲は、前記第１端末装置のＳＲＳを伝送するための周波数領域の範囲と同じである
ことを特徴とする請求項１１〜１５のいずれか１項に記載の方法。
【請求項１７】
前記方法は更に、
前記第１端末装置は前記ネットワーク機器へ前記第１端末装置のチャネル変化速度を指示するための第２指示情報を送信することを含み、
前記第１端末装置が前記ネットワーク機器から受信した前記第１指示情報は、前記第１端末装置のダウンリンクデータを伝送するための第２シンボルを更に指示する
ことを特徴とする請求項１１〜１６のいずれか１項に記載の方法。
【請求項１８】
前記複数のシンボルは第２端末装置のＳＲＳを伝送するためのシンボルを更に含み、前記第１端末装置のチャネル変化速度は前記第２端末装置のチャネル変化速度より大きく、
前記第１端末装置のＳＲＳを伝送するための前記第１シンボルは、前記第２端末装置のＳＲＳを伝送するためのシンボルの後に位置し、且つ前記第１端末装置のダウンリンクデータを伝送するための第２シンボルは、前記第２端末装置のダウンリンクデータを伝送するためのシンボルの前に位置する
ことを特徴とする請求項１７に記載の方法。
【請求項１９】
前記第２指示情報は前記第１端末装置のチャネル変化速度の大きさ、或いは前記第１端末装置のチャネル変化速度に対応した速度ランクを含むことを特徴とする請求項１７又は１８に記載の方法。
【請求項２０】
チャネルサウンディング基準信号（ＳＲＳ）を伝送する方法であって、前記方法は、
ネットワーク機器は第１端末装置が送信した前記第１端末装置のチャネル変化速度を指示するための指示情報を受信すること
を含む、ことを特徴とするＳＲＳを伝送する方法。
【請求項２１】
前記方法は更に、
前記ネットワーク機器は前記チャネル変化速度に基づき、前記第１端末装置のＳＲＳを伝送するための第１シンボル、及び前記第１端末装置のダウンリンクデータを伝送するための第２シンボルを確定すること
を含むことを特徴とする請求項２０に記載の方法。
【請求項２２】
前記第１端末装置のチャネル変化速度は第２端末装置のチャネル変化速度より大きく、
前記第１端末装置のＳＲＳを伝送するための前記第１シンボルは、前記第２端末装置のＳＲＳを伝送するためのシンボルの後に位置し、且つ前記第１端末装置のダウンリンクデータを伝送するための第２シンボルは、前記第２端末装置のダウンリンクデータを伝送するためのシンボルの前に位置する
ことを特徴とする請求項２１に記載の方法。
【請求項２３】
前記指示情報は前記第１端末装置のチャネル変化速度の大きさ、或いは前記第１端末装置のチャネル変化速度に対応した速度ランクを含む
ことを特徴とする請求項２１又は２２に記載の方法。
【請求項２４】
チャネルサウンディング基準信号（ＳＲＳ）を伝送する方法であって、前記方法は、
第１端末装置はネットワーク機器へ前記第１端末装置のチャネル変化速度を指示する指示情報を送信すること
を含むことを特徴とするＳＲＳを伝送する方法。
【請求項２５】
前記第１端末装置のチャネル変化速度は第２端末装置のチャネル変化速度より大きく、
前記第１端末装置のＳＲＳを伝送するための第１シンボルは、前記第２端末装置のＳＲＳを伝送するためのシンボルの後に位置し、且つ前記第１端末装置のダウンリンクデータを伝送するための第２シンボルは、前記第２端末装置のダウンリンクデータを伝送するためのシンボルの前に位置する
ことを特徴とする請求項２４に記載の方法。
【請求項２６】
前記指示情報は前記第１端末装置のチャネル変化速度の大きさ、或いは前記第１端末装置のチャネル変化速度に対応した速度ランクを含む
ことを特徴とする請求項２４又は２５に記載の方法。
【請求項２７】
チャネルサウンディング基準信号（ＳＲＳ）を伝送するネットワーク機器であって、
第１アップリンクサブフレームの中のＳＲＳを伝送するための複数のシンボルを確定するための確定モジュール、及び
複数の端末装置内の各端末装置へ第１指示情報を送信することに用いられ、前記第１指示情報は前記確定モジュールで確定した複数のシンボル内の前記各端末装置に対応したシンボルを指示するためのものであり、前記複数の端末装置内の第１端末装置は前記複数のシンボル内の第１シンボルに対応し、前記第１シンボルは前記第１端末装置のＳＲＳを伝送することに用いられる送信モジュール、
を備えることを特徴とするＳＲＳを伝送するネットワーク機器。
【請求項２８】
前記第１アップリンクサブフレームと前記第１アップリンクサブフレームの後の最初のダウンリンクサブフレームとの間のサブフレームの数は所定の数より小さい又は等しい
ことを特徴とする請求項２７に記載のネットワーク機器。
【請求項２９】
前記第１アップリンクサブフレームの次のサブフレームはダウンリンクサブフレームである
ことを特徴とする請求項２７又は２８に記載のネットワーク機器。
【請求項３０】
前記第１端末装置のＳＲＳを伝送するための前記第１シンボルの長さは、前記第１端末装置のダウンリンクデータを伝送するための第２シンボルの長さと同じではない
ことを特徴とする請求項２７〜２９のいずれか１項に記載のネットワーク機器。
【請求項３１】
前記確定モジュールは更に、
前記第１端末装置のＳＲＳを伝送するための周波数領域リソースを確定することに用いられ、
前記送信モジュールで前記第１端末装置へ送信する前記第１指示情報は、前記第１端末装置のＳＲＳを伝送するための周波数領域リソースを更に指示する
ことを特徴とする請求項２７〜３０のいずれか１項に記載のネットワーク機器。
【請求項３２】
前記第１端末装置のダウンリンクデータを伝送するための周波数領域の範囲は、前記第１端末装置のＳＲＳを伝送するための周波数領域の範囲と同じである
ことを特徴とする請求項２７〜３１のいずれか１項に記載のネットワーク機器。
【請求項３３】
前記ネットワーク機器は更に、
前記第１端末装置が送信した前記第１端末装置のチャネル変化速度を指示するための第２指示情報を受信するための受信モジュール
を備える、ことを特徴とする請求項２７〜３２のいずれか１項に記載のネットワーク機器。
【請求項３４】
前記ネットワーク機器は確定モジュールを更に備え、前記確定モジュールは、
前記チャネル変化速度に基づき、前記第１端末装置のダウンリンクデータを伝送するための第２シンボルを確定することに用いられ、
前記ネットワーク機器は前記第１端末装置へ送信する前記第１指示情報は、前記第１端末装置のダウンリンクデータを伝送するための第２シンボルを更に指示する
ことを特徴とする請求項３３に記載のネットワーク機器。
【請求項３５】
前記複数のシンボルは第２端末装置のＳＲＳを伝送するためのシンボルを更に含み、前記第１端末装置のチャネル変化速度は前記第２端末装置のチャネル変化速度より大きく、
前記第１端末装置のＳＲＳを伝送するための前記第１シンボルは、前記第２端末装置のＳＲＳを伝送するためのシンボルの後に位置し、且つ前記第１端末装置のダウンリンクデータを伝送するための第２シンボルは、前記第２端末装置のダウンリンクデータを伝送するためのシンボルの前に位置する
ことを特徴とする請求項３４に記載のネットワーク機器。
【請求項３６】
前記第２指示情報は前記第１端末装置のチャネル変化速度の大きさ、或いは前記第１端末装置のチャネル変化速度に対応した速度ランクを含む
ことを特徴とする請求項３４又は３５に記載のネットワーク機器。
【請求項３７】
チャネルサウンディング基準信号（ＳＲＳ）を伝送する端末装置であって、前記端末装置は、
ネットワーク機器が送信した第１指示情報を受信することに用いられ、前記第１指示情報は第１アップリンクサブフレームにおける前記第１端末装置のＳＲＳを伝送するための第１シンボルを指示し、前記第１アップリンクサブフレームは複数の端末装置のＳＲＳを伝送するための複数のシンボルを含み、前記複数の端末装置は前記第１端末装置を含み、前記複数のシンボルは前記第１シンボルを含む受信モジュール、及び
前記受信モジュールで受信した前記第１シンボルで前記ネットワーク機器へ前記第１端末装置のＳＲＳを送信するための送信モジュール、
を備える、ことを特徴とするＳＲＳを伝送する端末装置。
【請求項３８】
前記第１アップリンクサブフレームと前記第１アップリンクサブフレームの後の最初のダウンリンクサブフレームとの間のサブフレームの数は所定の数より小さい又は等しい
ことを特徴とする請求項３７に記載の端末装置。
【請求項３９】
前記第１アップリンクサブフレームの次のサブフレームはダウンリンクサブフレームである
ことを特徴とする請求項３７又は３８に記載の端末装置。
【請求項４０】
前記第１端末装置のＳＲＳを伝送するための前記第１シンボルの長さは、前記第１端末装置のダウンリンクデータを伝送するための第２シンボルの長さと同じではない
ことを特徴とする請求項３６〜３８のいずれか１項に記載の端末装置。
【請求項４１】
前記第１端末装置が前記ネットワーク機器から受信した前記第１指示情報は、前記第１端末装置のＳＲＳを伝送するための周波数領域リソースを更に指示する
ことを特徴とする請求項３７〜４０のいずれか１項に記載の端末装置。
【請求項４２】
前記第１端末装置のダウンリンクデータを伝送するための周波数領域リソースは、前記第１端末装置のＳＲＳを伝送するための周波数領域リソースと同じである
ことを特徴とする請求項３７〜４１のいずれか１項に記載の端末装置。
【請求項４３】
前記送信モジュールは更に、
前記ネットワーク機器へ前記第１端末装置のチャネル変化速度を指示するための第２指示情報を送信することに用いられ、
前記受信モジュールで前記ネットワーク機器から受信した前記第１指示情報は、前記第１端末装置のダウンリンクデータを伝送するための第２シンボルの位置を更に指示する
ことを特徴とする請求項３７〜４２のいずれか１項に記載の端末装置。
【請求項４４】
前記複数のシンボルは第２端末装置のＳＲＳを伝送するためのシンボルを更に含み、前記第１端末装置のチャネル変化速度は前記第２端末装置のチャネル変化速度より大きく、
前記第１端末装置のＳＲＳを伝送するための前記第１シンボルは、前記第２端末装置のＳＲＳを伝送するためのシンボルの後に位置し、且つ前記第１端末装置のダウンリンクデータを伝送するための第２シンボルは、前記第２端末装置のダウンリンクデータを伝送するためのシンボルの前に位置する
ことを特徴とする請求項４３に記載の端末装置。
【請求項４５】
前記第２指示情報は前記第１端末装置のチャネル変化速度の大きさ、或いは前記第１端末装置のチャネル変化速度に対応した速度ランクを含む
ことを特徴とする請求項４３又は４４に記載の端末装置。
【請求項４６】
チャネルサウンディング基準信号（ＳＲＳ）を伝送するネットワーク機器であって、前記ネットワーク機器は、
第１端末装置が送信した前記第１端末装置のチャネル変化速度を指示するための指示情報を受信するための受信モジュール
を備えることを特徴とするＳＲＳを伝送するネットワーク機器。
【請求項４７】
前記ネットワーク機器は更に、
前記受信モジュールで受信した前記チャネル変化速度に基づき、前記第１端末装置のＳＲＳを伝送するための第１シンボル、及び前記第１端末装置のダウンリンクデータを伝送するための第２シンボルを確定するための確定モジュール、
を備えることを特徴とする請求項４６に記載のネットワーク機器。
【請求項４８】
前記第１端末装置のチャネル変化速度は第２端末装置のチャネル変化速度より大きく、
前記第１端末装置のＳＲＳを伝送するための前記第１シンボルは、前記第２端末装置のＳＲＳを伝送するためのシンボルの後に位置し、且つ前記第１端末装置のダウンリンクデータを伝送するための第２シンボルは、前記第２端末装置のダウンリンクデータを伝送するためのシンボルの前に位置する
ことを特徴とする請求項４６又は４７に記載のネットワーク機器。
【請求項４９】
前記指示情報は前記第１端末装置のチャネル変化速度の大きさ、或いは前記第１端末装置のチャネル変化速度に対応した速度ランクを含む
ことを特徴とする請求項４７〜４８のいずれか１項に記載のネットワーク機器。
【請求項５０】
チャネルサウンディング基準信号（ＳＲＳ）を伝送する端末装置であって、前記端末装置は、
ネットワーク機器へ前記第１端末装置のチャネル変化速度を指示する指示情報を送信するための送信モジュール
を備えることを特徴とするＳＲＳを伝送する端末装置。
【請求項５１】
前記第１端末装置のチャネル変化速度は第２端末装置のチャネル変化速度より大きく、
前記第１端末装置のＳＲＳを伝送するための第１シンボルは、前記第２端末装置のＳＲＳを伝送するためのシンボルの後に位置し、且つ前記第１端末装置のダウンリンクデータを伝送するための第２シンボルは、前記第２端末装置のダウンリンクデータを伝送するためのシンボルの前に位置する
ことを特徴とする請求項５０に記載の端末装置。
【請求項５２】
前記指示情報は前記第１端末装置のチャネル変化速度の大きさ、或いは前記第１端末装置のチャネル変化速度に対応した速度ランクを含む
ことを特徴とする請求項５０又は５１に記載の端末装置。
【発明の詳細な説明】
【技術分野】
【０００１】
本発明の実施例は無線通信分野に関し、且つより具体的に、チャネルサウンディング基準信号（ＳＲＳ）を伝送する方法、ネットワーク機器及び端末装置に関する。
【背景技術】
【０００２】
多入力多出力（Ｍｕｌｔｉｐｌｅ  Ｉｎｐｕｔ  Ｍｕｌｔｉｐｌｅ  Ｏｕｔｐｕｔ、「ＭＩＭＯ」と略称）は４Ｇ通信及び５Ｇ通信のコア技術であり、長期的な進化（Ｌｏｎｇ  Ｔｅｒｍ  Ｅｖｏｌｕｔｉｏｎ、と略称「ＬＴＥ」）／ＬＴＥ−Ａシステムにおいて、コードブック（ｃｏｄｅｂｏｏｋ）フィードバックに基づく閉ループＭＩＭＯは主流となって、十分に発展された。しかし、５Ｇ大規模アンテナ（Ｍａｓｓｉｖｅ  ＭＩＭＯ）システムにおいて、アップリンクダウンリンクチャネル可逆性（Ｃｈａｎｎｅｌ  ｒｅｃｉｐｒｏｃｉｔｙ）に基づいた非コードブックの閉ループＭＩＭＯ技術をより広く使用し、即ちアップリンクチャネル推定によってチャネル状態情報（Ｃｈａｎｎｅｌ  Ｓｔａｔｅ  Ｉｎｆｏｒｍａｔｉｏｎ、と略称「ＣＳＩ」）を事前に取得し、ダウンリンクのプリコーディング（Ｐｒｅｃｏｄｉｎｇ）／ビームフォーミング（Ｂｅａｍｆｏｒｍｉｎｇ）の伝送に使用される。
【０００３】
５Ｇ通信システムにおいてアップリンクダウンリンクチャネル可逆性を利用して閉ループＭＩＭＯ伝送を行うには、数多くの技術的課題が存在している。チャネル特性エージング（ｃｈａｎｎｅｌ  ａｇｉｎｇ）課題及びアップリンク基準信号、例えばチャネルサウンディング基準信号（Ｓｏｕｎｄｉｎｇ  Ｒｅｆｅｒｅｎｃｅ  Ｓｉｇｎａｌ、「ＳＲＳ」と略称）の数が限られている課題という２つの主な課題がある。４Ｇシステムのチャネル特性エージング問題がそれなりにひどくないため、ＬＴＥシステムのＳＲＳ、コードブックフィードバック及び信号伝送の間に大きな遅延をあっても、チャネルのコヒーレンス時間（ｃｏｈｅｒｅｎｃｅ  ｔｉｍｅ）を超えることがなく、そのため、ＬＴＥシステムにおいてチャネル測定からデータ伝送までの遅延を短縮するために特別に最適化はしてない。周期的ＳＲＳ又は非周期的ＳＲＳにかかわらず、すべてのアップリンクサブフレームの最後のシンボルにしかＳＲＳを配置していない。
【０００４】
しかし、５Ｇシステムにおいて、チャネル特性エージングに起因する問題が大幅に悪化され、コヒーレンス時間も大幅に短縮される。
【発明の概要】
【発明が解決しようとする課題】
【０００５】
本発明の実施例はＳＲＳを伝送する方法、ネットワーク機器及び端末装置を提供し、アップリンクダウンリンクチャネルの相互性によって伝送する過程において、チャネル特性エージングによる影響を減少することができる。
【課題を解決するための手段】
【０００６】
第１態様は、チャネルサウンディング基準信号（ＳＲＳ）を伝送する方法を提供し、
ネットワーク機器は第１アップリンクサブフレームの中のＳＲＳを伝送するための複数のシンボルを確定すること、及び
前記ネットワーク機器は複数の端末装置内の各端末装置へ第１指示情報を送信し、前記第１指示情報は前記複数のシンボル内の前記各端末装置に対応したシンボルを指示するためのものであり、前記複数の端末装置内の第１端末装置は前記複数のシンボル内の第１シンボルに対応し、前記第１シンボルは前記第１端末装置のＳＲＳを伝送することに用いられることを含むことを特徴とする。
【０００７】
このため、複数の端末装置のＳＲＳを伝送するためのシンボルはいずれも第１アップリンクサブフレームに位置するため、ネットワーク機器と端末装置とはアップリンクダウンリンクチャネル可逆性によって伝送する過程において、チャネル特性エージングによる影響を減少することができる。
【０００８】
選択可能に、前記第１アップリンクサブフレームと前記第１アップリンクサブフレームの後の最初のダウンリンクサブフレームとの間のサブフレームの数は所定の数より小さい又は等しい。
【０００９】
選択可能に、前記第１アップリンクサブフレームの次のサブフレームはダウンリンクサブフレームである。
【００１０】
選択可能に、前記第１端末装置のＳＲＳを伝送するための前記第１シンボルの長さは、前記第１端末装置のダウンリンクデータを伝送するための第２シンボルの長さと同じではない。
【００１１】
選択可能に、前記方法は更に、前記ネットワーク機器は前記第１端末装置のＳＲＳを伝送するための周波数領域リソースを確定することを含み、前記ネットワーク機器は前記第１端末装置へ送信する前記第１指示情報は、前記第１端末装置のＳＲＳを伝送するための周波数領域リソースを更に指示する。
【００１２】
選択可能に、前記第１端末装置のダウンリンクデータを伝送するための周波数領域の範囲は、前記第１端末装置のＳＲＳを伝送するための周波数領域の範囲と同じである。
【００１３】
選択可能に、前記方法は更に、前記ネットワーク機器は前記第１端末装置が送信した前記第１端末装置のチャネル変化速度を指示するための第２指示情報を受信することを含む．
選択可能に、前記方法は更に、前記ネットワーク機器は前記チャネル変化速度に基づき、前記第１端末装置のダウンリンクデータを伝送するための第２シンボルを確定することを含み、前記ネットワーク機器は前記第１端末装置へ送信する前記第１指示情報は、前記第１端末装置のダウンリンクデータを伝送するための第２シンボルを更に指示する。
【００１４】
選択可能に、前記複数のシンボルは第２端末装置のＳＲＳを伝送するためのシンボルを更に含み、前記第１端末装置のチャネル変化速度は前記第２端末装置のチャネル変化速度より大きく、前記第１端末装置のＳＲＳを伝送するための前記第１シンボルは、前記第２端末装置のＳＲＳを伝送するためのシンボルの後に位置し、且つ前記第１端末装置のダウンリンクデータを伝送するための第２シンボルは、前記第２端末装置のダウンリンクデータを伝送するためのシンボルの前に位置する。
【００１５】
選択可能に、前記第２指示情報は前記第１端末装置のチャネル変化速度の大きさ、或いは前記第１端末装置のチャネル変化速度に対応した速度ランクを含む。
【００１６】
第２態様は、ネットワーク機器を提供し、該ネットワーク機器は前述第１態様及び様々な実現方式におけるＳＲＳを伝送するための方法ではネットワーク機器により実行する各過程を実行することに用いられることができる。該ネットワーク機器は確定モジュール及び送信モジュールを備える。前記確定モジュールは、ことに用いられ第１アップリンクサブフレームの中のＳＲＳを伝送するための複数のシンボルを確定し、前記送信モジュールは、複数の端末装置内の各端末装置へ第１指示情報を送信することに用いられ、前記第１指示情報は前記確定モジュールが確定した複数のシンボル内の前記各端末装置に対応したシンボルを指示するためのものであり、前記複数の端末装置内の第１端末装置は前記複数のシンボル内の第１シンボルに対応し、前記第１シンボルは前記第１端末装置のＳＲＳを伝送することに用いられる。
【００１７】
第３態様は、ネットワーク機器を提供し、該ネットワーク機器は前述第１態様及び様々な実現方式におけるＳＲＳを伝送するための方法ではネットワーク機器により実行する各過程を実行することに用いられることができる。該ネットワーク機器はプロセッサー及びトランシーバを備える。前記プロセッサーは、第１アップリンクサブフレームの中のＳＲＳを伝送するための複数のシンボルを確定することに用いられ、前記トランシーバは、複数の端末装置内の各端末装置へ第１指示情報を送信することに用いられ、前記第１指示情報は前記確定モジュールが確定した複数のシンボル内の前記各端末装置に対応したシンボルを指示するためのものであり、前記複数の端末装置内の第１端末装置は前記複数のシンボル内の第１シンボルに対応し、前記第１シンボルは前記第１端末装置のＳＲＳを伝送することに用いられる。
【００１８】
第４態様は、チャネルサウンディング基準信号（ＳＲＳ）を伝送する方法を提供し、
第１端末装置はネットワーク機器が送信した第１指示情報を受信し、前記第１指示情報は第１アップリンクサブフレームにおける前記第１端末装置のＳＲＳを伝送するための第１シンボルを指示し、前記第１アップリンクサブフレームは複数の端末装置のＳＲＳを伝送するための複数のシンボルを含み、前記複数の端末装置は前記第１端末装置を含み、前記複数のシンボルは前記第１シンボルを含むこと、及び
前記第１端末装置は前記第１シンボルで前記ネットワーク機器へ前記第１端末装置のＳＲＳを送信することを含むことを特徴とする。
【００１９】
このため、複数の端末装置のＳＲＳを伝送するためのシンボルはいずれも第１アップリンクサブフレームに位置するため、ネットワーク機器と端末装置とはアップリンクダウンリンクチャネル可逆性によって伝送する過程において、チャネル特性エージングによる影響を減少することができる。
【００２０】
選択可能に、前記第１アップリンクサブフレームと前記第１アップリンクサブフレームの後の最初のダウンリンクサブフレームとの間のサブフレームの数は所定の数より小さい又は等しい。
【００２１】
選択可能に、前記第１アップリンクサブフレームの次のサブフレームはダウンリンクサブフレームである。
【００２２】
選択可能に、前記第１端末装置のＳＲＳを伝送するための前記第１シンボルの長さは、前記第１端末装置のダウンリンクデータを伝送するための第２シンボルの長さと同じではない。
【００２３】
選択可能に、前記第１端末装置が前記ネットワーク機器から受信した前記第１指示情報は、前記第１端末装置のＳＲＳを伝送するための周波数領域リソースを更に指示する。
【００２４】
選択可能に、前記第１端末装置のダウンリンクデータを伝送するための周波数領域の範囲は、前記第１端末装置のＳＲＳを伝送するための周波数領域の範囲と同じである。
【００２５】
選択可能に、前記方法は更に、前記第１端末装置は前記ネットワーク機器へ前記第１端末装置のチャネル変化速度を指示するための第２指示情報を送信することを含み、前記第１端末装置が前記ネットワーク機器から受信した前記第１指示情報は、前記第１端末装置のダウンリンクデータを伝送するための第２シンボルの位置を更に指示する。
【００２６】
選択可能に、前記複数のシンボルは第２端末装置のＳＲＳを伝送するためのシンボルを更に含み、前記第１端末装置のチャネル変化速度は前記第２端末装置のチャネル変化速度より大きく、前記第２端末装置のＳＲＳを伝送するためのシンボルの後に位置し、且つ前記第１端末装置のダウンリンクデータを伝送するための第２シンボルは、前記第２端末装置のダウンリンクデータを伝送するためのシンボルの前に位置する。
【００２７】
選択可能に、前記第２指示情報は前記第１端末装置のチャネル変化速度の大きさ、或いは前記第１端末装置のチャネル変化速度に対応した速度ランクを含む。
【００２８】
第５態様は、端末装置を提供し、該端末装置は前述第４態様及び様々な実現方式におけるＳＲＳを伝送するための方法では端末装置により実行した各過程を実行することに用いられることができる。該端末装置は受信モジュール及び送信モジュールを備える。前記受信モジュールは、ネットワーク機器が送信した第１指示情報を受信することに用いられ、前記第１指示情報は第１アップリンクサブフレームにおける前記第１端末装置のＳＲＳを伝送するための第１シンボルを指示し、前記第１アップリンクサブフレームは複数の端末装置のＳＲＳを伝送するための複数のシンボルを含み、前記複数の端末装置は前記第１端末装置を含み、前記複数のシンボルは前記第１シンボルを含み、前記送信モジュールは、前記受信モジュールが受信した前記第１シンボルで前記ネットワーク機器へ前記第１端末装置のＳＲＳを送信することに用いられる。
【００２９】
第６態様は、端末装置を提供し、端末装置は前述第４態様及び様々な実現方式におけるＳＲＳを伝送するための方法では端末装置により実行した各過程を実行することに用いられることができる。該端末装置はプロセッサー及びトランシーバを備える。前記トランシーバは、ネットワーク機器が送信した第１指示情報を受信し、前記受信モジュールで受信した前記第１シンボルで前記ネットワーク機器へ前記第１端末装置のＳＲＳを送信することに用いられ、前記第１指示情報は第１アップリンクサブフレームにおける前記第１端末装置のＳＲＳを伝送するための第１シンボルを指示し、前記第１アップリンクサブフレームは複数の端末装置のＳＲＳを伝送するための複数のシンボルを含み、前記複数の端末装置は前記第１端末装置を含むこと、前記複数のシンボルは前記第１シンボルを含む。
【００３０】
第７態様は、チャネルサウンディング基準信号（ＳＲＳ）を伝送する方法を提供し、
ネットワーク機器は第１端末装置が送信した前記第１端末装置のチャネル変化速度を指示するための指示情報を受信することを含むことを特徴とする。
【００３１】
選択可能に、前記ネットワーク機器は前記チャネル変化速度に基づき、前記第１端末装置のＳＲＳを伝送するための第１シンボル、及び前記第１端末装置のダウンリンクデータを伝送するための第２シンボルを確定する。
【００３２】
このため、ネットワーク機器は該第２指示情報に基づき第１端末装置のチャネル変化速度を取得することができ、該チャネル変化速度に基づきシステム伝送リソースを合理的に配置し、端末装置をスケジューリングする等を実現することができる。
【００３３】
選択可能に、前記第１端末装置のチャネル変化速度は第２端末装置のチャネル変化速度より大きく、前記第１端末装置のＳＲＳを伝送するための前記第１シンボルは、前記第２端末装置のＳＲＳを伝送するためのシンボルの後に位置し、且つ前記第１端末装置のダウンリンクデータを伝送するための第２シンボルは、前記第２端末装置のダウンリンクデータを伝送するためのシンボルの前に位置する。
【００３４】
このように、ネットワーク機器は端末装置のチャネル変化速度に基づき端末装置のためにＳＲＳを伝送するためのリソース及びダウンリンクデータを伝送するためのリソースを配置することができるため、リソースを合理的に利用し、ネットワーク機器及び端末装置はアップリンクダウンリンクチャネル可逆性によって伝送する過程において、チャネル特性エージングによる影響を減少することができる。
【００３５】
選択可能に、前記指示情報は前記第１端末装置のチャネル変化速度の大きさ、或いは前記第１端末装置のチャネル変化速度に対応した速度ランクを含む。
【００３６】
第８態様は、ネットワーク機器を提供し、該ネットワーク機器は前述第７態様及び様々な実現方式におけるＳＲＳを伝送するための方法ではネットワーク機器により実行した各過程を実行することに用いられることができる。該ネットワーク機器は受信モジュールを備える。前記受信モジュールは、第１端末装置が送信した前記第１端末装置のチャネル変化速度を指示するための指示情報を受信することに用いられる。
【００３７】
第９態様は、ネットワーク機器を提供し、該ネットワーク機器は前述第７態様及び様々な実現方式におけるＳＲＳを伝送するための方法ではネットワーク機器により実行した各過程を実行することに用いられることができる。該ネットワーク機器はプロセッサー及びトランシーバを備える。前記トランシーバは、第１端末装置が送信した前記第１端末装置のチャネル変化速度を指示するための指示情報を受信することに用いられる。
【００３８】
第１０態様は、チャネルサウンディング基準信号（ＳＲＳ）を伝送する方法を提供し、第１端末装置はネットワーク機器へ前記第１端末装置のチャネル変化速度を指示するための指示情報を送信することを含むことを特徴とする。
【００３９】
このため、第１端末装置は自分のチャネル変化速度をネットワーク機器に送信することによって、ネットワーク機器は該第２指示情報に基づき第１端末装置のチャネル変化速度を取得することができ、該チャネル変化速度に基づきシステム伝送リソースを合理的に配置し、端末装置をスケジューリングする等を実現することができる。
【００４０】
選択可能に、前記第１端末装置のチャネル変化速度は第２端末装置のチャネル変化速度より大きく、前記第１端末装置のＳＲＳを伝送するための第１シンボルは、前記第２端末装置のＳＲＳを伝送するためのシンボルの後に位置し、且つ前記第１端末装置のダウンリンクデータを伝送するための第２シンボルは、前記第２端末装置のダウンリンクデータを伝送するためのシンボルの前に位置する。
【００４１】
このように、端末装置は自分のチャネル変化速度をネットワーク機器に送信するため、ネットワーク機器は端末装置のためにＳＲＳを伝送するためのリソース及びダウンリンクデータを伝送するためのリソースを配置することができ、リソースを合理的に利用し、ネットワーク機器及び端末装置はアップリンクダウンリンクチャネル可逆性によって伝送する過程において、チャネル特性エージングによる影響を減少することができる。
【００４２】
選択可能に、前記指示情報は前記第１端末装置のチャネル変化速度の大きさ、或いは前記第１端末装置のチャネル変化速度に対応した速度ランクを含む。
【００４３】
第１１態様は、端末装置を提供し、該端末装置は前述第１０態様及び様々な実現方式におけるＳＲＳを伝送するための方法では端末装置により実行した各過程を実行することに用いられることができる。該端末装置は送信モジュールを備える。前記送信モジュールは、ネットワーク機器へ前記第１端末装置のチャネル変化速度を指示するための指示情報を送信することに用いられる。
【００４４】
第１２態様は、端末装置を提供し、端末装置は前述第１０態様及び様々な実現方式におけるＳＲＳを伝送するための方法では端末装置により実行した各過程を実行することに用いられることができる。該端末装置はプロセッサー及びトランシーバを備える。前記トランシーバは、ネットワーク機器へ前記第１端末装置のチャネル変化速度を指示するための指示情報を送信することに用いられる。
【００４５】
第１３態様は、コンピュータ可読記憶媒体を提供し、前記コンピュータ可読記憶媒体にプログラムが記憶され、前記プログラムはネットワーク機器が上記第１態様、及びその様々な実現方式におけるいずれかのデータを伝送するための方法を実行させる。
【００４６】
第１４態様は、コンピュータ可読記憶媒体を提供し、前記コンピュータ可読記憶媒体にプログラムが記憶され、前記プログラムは端末装置が上記第４態様、及びその様々な実現方式におけるいずれかのデータを伝送するための方法を実行させる。
【００４７】
第１５態様は、コンピュータ可読記憶媒体を提供し、前記コンピュータ可読記憶媒体にプログラムが記憶され、前記プログラムはネットワーク機器が上記第７態様、及びその様々な実現方式におけるいずれかのデータを伝送するための方法を実行させる。
【００４８】
第１６態様は、コンピュータ可読記憶媒体を提供し、前記コンピュータ可読記憶媒体にプログラムが記憶され、前記プログラムはネットワーク機器が上記第１０態様、及びその様々な実現方式におけるいずれかのデータを伝送するための方法を実行させる。
【図面の簡単な説明】
【００４９】
【図１】本発明の実施例による適用場面の模式的なアーキテクチャ図である。
【図２】従来の技術におけるチャネル特性エージングとコヒーレンス時間に関する模式図である。
【図３】従来の技術におけるＳＲＳを伝送する模式図である。
【図４】本発明の実施例によるＳＲＳを伝送する方法のプロセス相互作用図である。
【図５】本発明の実施例によるＳＲＳを伝送する方法の模式図である。
【図６】本発明の実施例によるＳＲＳを伝送するシンボルとデータを伝送するシンボルとの模式図である。
【図７】本発明の実施例によるＳＲＳリソースとデータリソースとの模式図である。
【図８】本発明の実施例によるＳＲＳリソースとデータリソースとの模式図である。
【図９】本発明の他の実施例によるＳＲＳを伝送する方法のプロセス相互作用図である。
【図１０】本発明の実施例によるネットワーク機器の構造ブロック図である。
【図１１】本発明の実施例によるネットワーク機器の構造ブロック図である。
【図１２】本発明の実施例によるシステムチップの模式的な構造図である。
【図１３】本発明の実施例による端末装置の構造ブロック図である。
【図１４】本発明の実施例による端末装置の構造ブロック図である。
【図１５】本発明の実施例によるシステムチップの模式的な構造図である。
【図１６】本発明の他の実施例によるネットワーク機器の構造ブロック図である。
【図１７】本発明の他の実施例によるネットワーク機器の構造ブロック図である。
【図１８】本発明の他の実施例によるシステムチップ的模式的な構造図である。
【図１９】本発明の他の実施例による端末装置の構造ブロック図である。
【図２０】本発明の他の実施例による端末装置の構造ブロック図である。
【図２１】本発明の他の実施例によるシステムチップの模式的な構造図である。
【発明を実施するための形態】
【００５０】
本発明の実施例の技術的解決手段をより明確的に説明するために、以下、本発明の実施例に使用する必要がある図面を簡単に説明し、明らかで、以下で説明する図面はただ本発明のある実施例だけであり、当業者にとって、創造的な作業なしに更にこれらの図面に基づいてその他の図面を取得することができる。
【００５１】
以下、本発明の実施例における図面を参照して、本発明の実施例における技術的解決手段を明らかで、完全に説明し、無論、説明された実施例は全部の実施例ではなく、本発明の一部の実施例だけである。本発明における実施例に基づいて、当業者は創造的な労働なしに得られたすべての他の実施例は、いずれも本発明が保護する範囲に属する。
【００５２】
理解すべきなのは、本発明の実施例の技術的解決手段は様々な通信システム、例えば、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称）システム、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称）システム、一般パケット無線サービス（Ｇｅｎｅｒａｌ  Ｐａｃｋｅｔ  Ｒａｄｉｏ  Ｓｅｒｖｉｃｅ、「ＧＰＲＳ」と略称）、ロングタームエボリューション（Ｌｏｎｇ  Ｔｅｒｍ  Ｅｖｏｌｕｔｉｏｎ、「ＬＴＥ」と略称）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称）等の従来の通信システムに応用でき、及び特に将来の５Ｇシステムに応用できる。
【００５３】
本発明の実施例における端末装置はユーザ装置（Ｕｓｅｒ  Ｅｑｕｉｐｍｅｎｔ、「ＵＥ」と略称）、アクセス端末、ユーザユニット、ユーザ局、移動局、移動台、遠隔局、遠隔端末、モバイルデバイス、ユーザ端末、端末、無線通信デバイス、ユーザエージェントまたはユーザデバイスを指してもよい。アクセス端末はセルラー電話、コードレス電話、セッション開始プロトコル（Ｓｅｓｓｉｏｎ  Ｉｎｉｔｉａｔｉｏｎ  Ｐｒｏｔｏｃｏｌ、「ＳＩＰ」と略称）電話、無線ローカルループ（Ｗｉｒｅｌｅｓｓ  Ｌｏｃａｌ  Ｌｏｏｐ、「ＷＬＬ」と略称）局、パーソナルデジタルアシスタント（Ｐｅｒｓｏｎａｌ  Ｄｉｇｉｔａｌ  Ａｓｓｉｓｔａｎｔ、「ＰＤＡ」と略称）、無線通信機能を有するハンドヘルド装置、コンピューティング装置又は無線モデムに接続された他の処理装置、車載装置、ウェアラブル装置及び将来５Ｇネットワークにおける端末装置或いは将来進化された公衆陸上モバイルネットワーク（Ｐｕｂｌｉｃ  Ｌａｎｄ  Ｍｏｂｉｌｅ  Ｎｅｔｗｏｒｋ、「ＰＬＭＮ」と略称）における端末装置等であってよい。
【００５４】
本発明の実施例におけるネットワーク機器は端末装置と通信するための装置であってよく、該ネットワーク機器はＧＳＭ又はＣＤＭＡにおける基地局（Ｂａｓｅ  Ｔｒａｎｓｃｅｉｖｅｒ  Ｓｔａｔｉｏｎ、と略称「」ＢＴＳ）であってもよいし、ＷＣＤＭＡシステムにおける基地局（ＮｏｄｅＢ、「ＮＢ」と略称）であってもよいし、ＬＴＥシステムにおける進化型基地局（Ｅｖｏｌｕｔｉｏｎａｌ  ＮｏｄｅＢ、「ｅＮＢ又はｅＮｏｄｅＢ」と略称）であってもよいし、クラウド無線アクセスネットワーク（Ｃｌｏｕｄ  Ｒａｄｉｏ  Ａｃｃｅｓｓ  Ｎｅｔｗｏｒｋ、「ＣＲＡＮ」と略称）シナリオでのワイヤレスコントローラであってもよく、或いは該ネットワーク機器は中継局、アクセスポイント、車載装置、ウェアラブル装置及び将来５Ｇネットワークにおけるネットワーク機器或いは将来進化されたＰＬＭＮネットワークにおけるネットワーク機器等であってもよい。
【００５５】
図１は本発明の実施例によるアプリケーションのシナリオを示す模式的なアーキテクチャ図である。図１に示すような通信システムの基本ネットワークアーキテクチャはネットワーク機器例えばｅＮｏｄｅＢ  １０、及び少なくとも１つの端末装置、例えばＵＥ  ２０、ＵＥ  ３０、ＵＥ  ４０、ＵＥ  ５０、ＵＥ  ６０、ＵＥ  ７０、ＵＥ  ８０及びＵＥ  ９０を含む。ＵＥ  ２０〜ＵＥ  ９０の中の任意の１つの無線端末及びｅＮｏｄｅＢ  １０は、少なくとも１つのアンテナを含むことができる。図３に示すように、ｅＮｏｄｅＢ  １０はＵＥ  ２０〜ＵＥ  ９０の中の少なくとも１つの端末装置のために通信サービスを提供することに用いられ、且つコアネットワークにアクセスし、ＵＥ  ２０〜ＵＥ  ９０はｅＮｏｄｅＢ  １０が送信した同期信号、放送信号等をサーチすることによってネットワークにアクセスし、それによりネットワークとの通信を行う。例えば、ＵＥ  ２０〜ＵＥ  ９０の中の少なくとも１つの端末装置とｅＮｏｄｅＢ  １０との間にアップリンクダウンリンクチャネル可逆性の非コードブックの閉ループＭＩＭＯ技術に基づいてデータの伝送を行うことができ、即ちｅＮｏｄｅＢ  １０はアップリンクチャネル推定によって、チャネル状態情報を事前に取得し、且つそれをダウンリンクのプリコーディング又はビームフォーミング伝送に使用する。
【００５６】
本発明の実施例におけるネットワークは公衆陸上モバイルネットワーク（Ｐｕｂｌｉｃ  Ｌａｎｄ  Ｍｏｂｉｌｅ  Ｎｅｔｗｏｒｋ、「ＰＬＭＮ」と略称）或いはデバイスツーデバイス（Ｄｅｖｉｃｅ  ｔｏ  Ｄｅｖｉｃｅ、「Ｄ２Ｄ」と略称）ネットワーク或いはマシンツーマシン／マン（Ｍａｃｈｉｎｅ  ｔｏ  Ｍａｃｈｉｎｅ／Ｍａｎ、「Ｍ２Ｍ」と略称）ネットワーク或いはその他のネットワークを指してよく、図１は本発明の実施例によるあるアプリケーションのシナリオの例だけであり、本発明の実施例は更にそのシナリオに応用してもよく、また、図１は例の簡単な模式図だけであり、ネットワークにその他のネットワーク機器を更に含んでもよく、図１では図示しない。
【００５７】
本発明に提示される技術案はアップリンクダウンリンクチャネル可逆性の非コードブックに基づいた閉ループＭＩＭＯシナリオに応用されることができ、コードブックフィードバックに基づいた閉ループＭＩＭＯ伝送と比べて、非コードブックの閉ループＭＩＭＯ伝送においては、コードブックフィードバック方法よりなおさら精確なＣＳＩ情報を取得し、Ｍａｓｓｉｖｅ  ＭＩＭＯのナロービームフォーミング及び大量の端末のマルチユーザーＭＩＭＯ（ＭＵ−ＭＩＭＯ）をサポートすることができ、且つＭａｓｓｉｖｅ  ＭＩＭＯにおける大量のダウンリンクＣＳＩ基準信号（ＣＳＩ−ＲＳ）及びコードブックフィードバックによる大量のアップリンクシグナリングオーバーヘッド（ｏｖｅｒｈｅａｄ）を避けることができ、大量の端末ＭＵ−ＭＩＭＯによるＳＲＳ、例えばＳＲＳの大量アップリンクオーバーヘッドを避けることもできる。
【００５８】
しかし、５Ｇシステムにおいてアップリンクダウンリンクチャネル可逆性を利用して閉ループＭＩＭＯ伝送を行うのは、数多くの技術問題が存在し、例えば、チャネル特性エージング（Ｃｈａｎｎｅｌ  ａｇｉｎｇ）問題及びＳＲＳ数が限られている問題が存在する。
【００５９】
閉ループＭＩＭＯの実現可能性は、チャネルのコヒーレンスに依存するため、即ち、仮にチャネルコヒーレンス時間（ｃｏｈｅｒｅｎｃｅ  ｔｉｍｅ）内で、チャネルが明らかな変化が発生せず、前の時刻で取得したチャネル測定結果を後の時刻のプリコーディング／ビームフォーミングに使用することができる。しかし、ＣＳＩの取得からデータ伝送までの遅延がチャネルコヒーレンス時間を超えると、チャネル特性エージング（Ｃｈａｎｎｅｌ  ａｇｉｎｇ）問題は発生する。
【００６０】
図２はチャネル特性エージング及びコヒーレンス時間に関する模式図であり、図１におけるｅＮｏｄｅＢ  １０及びＵＥ  ２０を例として、且つチャネルサウンディング信号ＳＲＳを例として、アップリンクダウンリンクチャネル可逆性の非コードブックに基づいた閉ループＭＩＭＯ伝送過程は以下のステップを含み、
２０１において、ｅＮｏｄｅＢ  １０はＵＥ  ２０へＳＲＳリクエスト（ＳＲＳ  Ｒｅｑｕｅｓｔ）を送信する。
【００６１】
２０２において、ＵＥ  ２０はｅＮｏｄｅＢ  １０が２０１で送信したＳＲＳ  Ｒｅｑｕｅｓｔを受信して且つｅＮｏｄｅＢ  １０へＳＲＳを送信する。
【００６２】
２０３において、ｅＮｏｄｅＢ  １０は受信したＳＲＳに基づき、チャネル推定（ｃｈａｎｎｅｌ  ｅｓｔｉｍａｔｉｏｎ）を行ってチャネル状態情報ＣＳＩを取得する。
【００６３】
２０４において、ｅＮｏｄｅＢ  １０は該ＣＳＩに基づきダウンリンク伝送のプリコーディングデザイン（ｐｒｅｃｏｄｉｎｇ  ｄｅｓｉｇｎ）を行う。
【００６４】
２０５において、ｅＮｏｄｅＢ  １０はＵＥ  ２０へスケジューリング命令及び／又はデータを送信する。
【００６５】
２０６において、ｅＮｏｄｅＢ  １０はＵＥ  ２０へ次回のＳＲＳリクエストを送信する。
【００６６】
２０７において、ＵＥ  ２０はｅＮｏｄｅＢ  １０が２０６で送信したＳＲＳ  Ｒｅｑｕｅｓｔを受信して且つｅＮｏｄｅＢ  １０へ該ＳＲＳ  Ｒｅｑｕｅｓｔに対するＳＲＳを送信する。
【００６７】
ＵＥ  ２０は２回でｅＮｏｄｅＢ  １０へＳＲＳを送信する隣接する時刻の間の時間長さはコヒーレンス時間と呼ばれることができる。ｅＮｏｄｅＢ  １０が２０３でＣＳＩを取得する遅延は、チャネルのコヒーレンス時間を超える場合、チャネル特性エージング（或いはチャネルエージングと呼ばれる）の問題は発生することがある。
【００６８】
４Ｇシステムのチャネル特性エージング効果はあんまり深刻ではなく、このためＬＴＥシステムのＳＲＳ、コードブックフィードバック及び信号伝送の間に大きな遅延があっても、チャネルのコヒーレンス時間を超えることがなく、このためＬＴＥシステムにおいてチャネル測定からデータ伝送までの遅延を短縮するために特別に最適化しない。周期的ＳＲＳ又は非周期的ＳＲＳに関わらず、各アップリンクサブフレームの最後のシンボルのみにＳＲＳを配置する。図３に示すような従来の技術においてアップリンクデータ伝送の模式図は、４Ｇシステムの各アップリンクサブフレームは１つのシンボルのみによってＳＲＳを伝送する。図３では非周波数ホッピングモードと周波数ホッピングモードでの２種の場合におけるＳＲＳの伝送状況を示し、この２種の場合に、各アップリンクサブフレームの最後のシンボルがＳＲＳを伝送することに用いられる。
【００６９】
図４は本発明の実施例によるＳＲＳを伝送する方法のプロセス相互作用図である。図４では第１端末装置及びネットワーク機器を示し、例えば第１端末装置は図１に示されるＵＥ  ２０〜ＵＥ  ９０の中の任意の１つの端末装置であってよく、ネットワーク機器は図１に示されるｅＮｏｄｅＢ  １０であってよい。図４に示すように、該ＳＲＳを伝送する方法の具体的なフローは、以下のステップを含み、
４１０において、ネットワーク機器は第１アップリンクサブフレームの中のＳＲＳを伝送するための複数のシンボルを確定する。
【００７０】
該複数のシンボルは複数の端末装置のＳＲＳを伝送することに用いられることができる。
【００７１】
更に、該複数のシンボル内の各シンボルは端末装置のＳＲＳを伝送することに用いられることができる。
【００７２】
選択可能に、該第１アップリンクサブフレームと該第１アップリンクサブフレームの後の最初のダウンリンクサブフレームとの間のサブフレームの数は所定の数より小さい又は等しい。
【００７３】
更に、該第１アップリンクサブフレームの次のサブフレームはダウンリンクサブフレームである。
【００７４】
つまり、アップリンクサブフレームからダウンリンクサブフレームまでの切り替えポイント（Ｕｐｌｉｎｋ−ｔｏ−ｄｏｗｎｌｉｎｋ  ｓｗｉｔｃｈ−ｐｏｉｎｔ）の前の最後のアップリンクサブフレームであり、即ち、第１アップリンクサブフレームにおいて、ネットワーク機器は複数の端末装置がＳＲＳを送信するための複数のシンボルを配置することができ、例えば該ＳＲＳはチャネル測定基準信号（Ｓｏｕｎｄｉｎｇ  Ｒｅｆｅｒｅｎｃｅ  Ｓｉｇｎａｌ、「ＳＲＳ」と略称）であってよい。
【００７５】
４２０において、ネットワーク機器は第１端末装置へ第１指示情報を送信する。
【００７６】
該第１指示情報は該第１アップリンクサブフレームにおける第１端末装置のＳＲＳを伝送するための第１シンボルを指示し、該第１アップリンクサブフレームは複数の端末装置のＳＲＳを伝送するための複数のシンボルを含み、該複数の端末装置は該第１端末装置を含み、該複数のシンボルは該第１シンボルを含む。
【００７７】
言い換えると、該第１指示情報は第１端末装置が該複数のシンボル内の第１シンボルでＳＲＳを伝送することを指示することに用いられる。
【００７８】
具体的に、ネットワーク機器は第１指示情報によって第１端末装置のＳＲＳを伝送するためのシンボルの位置を指示することができ、即ち第１端末装置が複数のシンボルの中のどのシンボルでＳＲＳを送信するかを指示する。
【００７９】
実際的に、ネットワーク機器は複数の端末装置内の各端末装置へ第１指示情報を送信し、該第１指示情報は該複数のシンボル内の各端末装置に対応したシンボルを指示するためのものであり、該複数の端末装置内の第１端末装置は前記複数のシンボル内の第１シンボルに対応し、該第１シンボルは第１端末装置のＳＲＳを伝送することに用いられる。本発明の実施例においてネットワーク機器及び第１端末装置を例として説明する。
【００８０】
選択可能に、該第１指示情報は制御シグナリングに運ばれることができる。
【００８１】
４３０において、第１端末装置はネットワーク機器が送信した第１指示情報を受信する。
【００８２】
該第１指示情報は第１端末装置のＳＲＳを伝送するための第１シンボルの第１アップリンクサブフレームの中での位置を指示するためのものであり、該第１アップリンクサブフレームはＳＲＳを伝送するための複数のシンボルを含む。
【００８３】
４４０において、第１端末装置は第１シンボルでネットワーク機器へ第１端末装置のＳＲＳを送信する。
【００８４】
例えば、図５に示される本発明の実施例によるＳＲＳを伝送する方法の模式図に示すように、第１アップリンクサブフレームに複数のＳＲＳを伝送するための複数のシンボルを含み、該第１アップリンクサブフレームの後の次のサブフレームはダウンリンクサブフレームである。ネットワーク機器はダウンリンク制御シグナリングを送信することによって、複数の端末装置内の各端末装置がそれぞれこの複数のシンボルの中のどのシンボルによってＳＲＳを伝送するかを指示することができる。例えば図５に示すように、ネットワーク機器は第１端末装置がシンボル１（即ち第１シンボル）によってＳＲＳを伝送することを指示し、第２端末装置がシンボル２によってＳＲＳを伝送することを指示し、第３端末装置がシンボル３によってＳＲＳを伝送することを指示する。第１端末装置、第２端末装置及び第３端末装置がＳＲＳを伝送するシンボルはいずれも第１アップリンクサブフレームに位置するため、ネットワーク機器はＳＲＳに基づいて確定したチャネル状態情報ＣＳＩの信頼性が高く、つまりネットワーク機器はこの３つの端末装置のＳＲＳに基づいて確定したチャネル状態は、この３つの端末装置へダウンリンクデータを送信する時のチャネル状態と大差がない。
【００８５】
理解すべきなのは、該第１アップリンクサブフレームにおける複数のＳＲＳを伝送するための複数のシンボルは、第１アップリンクサブフレームの任意の位置に位置することができる。好ましくは、ＳＲＳを伝送するための複数のシンボルはアップリンクサブフレームからダウンリンクサブフレームまでの切り替えポイントに近い位置に分布する。例えば図５に示すように、第１端末装置がＳＲＳを伝送するための第１シンボル、第２端末装置がＳＲＳを伝送するための第２シンボル及び第３端末装置がＳＲＳを伝送するための第３シンボルは、順次にアップリンクサブフレームからダウンリンクサブフレームまでの切り替えポイントに隣接する位置に分布する。
【００８６】
このように、ＳＲＳはアップリンクサブフレームからダウンリンクサブフレームまでの切り替えポイントに近いほど、ＳＲＳを伝送するシンボルは時間領域にはダウンリンクデータを伝送するシンボルに近く、ネットワーク機器がチャネル可逆性によって得られたＣＳＩがより精確であり、ネットワーク機器が取得したチャネル状態はダウンリンクデータ伝送時のチャネル状態により近い。
【００８７】
従来の４Ｇシステムにおいて、１つのサブフレーム内に１つのシンボルだけがＳＲＳの伝送に使用でき、アップリンクサブフレームからダウンリンクサブフレームまでの切り替えポイントの前の最後のアップリンクサブフレーム即ち第１アップリンクサブフレームを十分に利用することができない。このためダウンリンク制御情報（Ｄｏｗｎｌｏａｄ  Ｃｏｎｔｒｏｌ  Ｉｎｆｏｒｍａｔｉｏｎ、「ＤＣＩ」と略称）及びシステム情報（Ｓｙｓｔｅｍ  Ｉｎｆｏｒｍａｔｉｏｎ  Ｂｌｏｃｋ、「ＳＩＢ」と略称）は、どのサブフレームでＳＲＳを伝送することかだけを指示することでき、具体的に１つのサブフレーム内でのどのシンボルでＳＲＳを伝送することを指示することができない。
【００８８】
それに対して、本発明の実施例において、ネットワーク機器は第１アップリンクサブフレームの中のＳＲＳを伝送するための複数のシンボルを確定することによって、ネットワーク機器がＳＲＳに基づいて確定したチャネル状態はダウンリンクデータ伝送時のチャネル状態とより近くなり、アップリンクダウンリンクチャネル可逆性によって伝送する過程において、チャネル特性エージングによる影響を減少して、チャネル可逆性を十分に利用してダウンリンクプリコーディング／ビームフォーミング伝送の正確さ及び効率を向上させる。
【００８９】
他の実施例として、該第１端末装置のＳＲＳを伝送するための該第１シンボルの長さは、第１端末装置のダウンリンクデータの第２シンボルを伝送するための長さと同じではない。
【００９０】
具体的に、従来の４Ｇシステムにおいて、１つのキャリア内で統一なシンボル長さを使用し、ＳＲＳを伝送するためのシンボル及びダウンリンクデータを伝送するためのシンボルに用いられるのは同じシンボル長さである。ＳＲＳを伝送するためのシンボル及びダウンリンクデータを伝送するためのシンボルは異なるシンボル長さを使用することができる。ＳＲＳに関連する物理層のパラメータを個別に最適化することができ、例えばＳＲＳより短いシンボル長さを使用することができ、単位時間内でより多くのＳＲＳを伝送するためのシンボルを収納することができるようにし、それによりＳＲＳの時間領域割り当ての粒度を低減し、ＳＲＳを伝送するためのリソースの割り当ての柔軟性を実現する。
【００９１】
例えば、図６に示されるＳＲＳを伝送するシンボルとダウンリンクデータを伝送するシンボルの模式図に示すように、第１端末装置のＳＲＳを伝送するための第１シンボルの長さが第１端末装置のダウンリンクデータを伝送するための第２シンボルの長さと同じではなく、ＳＲＳを伝送するシンボルの長さが伝送ダウンリンクデータのシンボルの長さより小さいため、このように、第１アップリンクサブフレームにより多くのＳＲＳを伝送するためのシンボルを収納することができ、第１アップリンクサブフレームにより多くの端末装置のＳＲＳを伝送することができる。
【００９２】
他の実施例として、該ＳＲＳを伝送する方法は更に、ネットワーク機器は該第１端末装置のＳＲＳを伝送するための周波数領域リソースを確定することを含み、４２０でネットワーク機器が該第１端末装置へ送信する該第１指示情報は、該第１端末装置のＳＲＳを伝送するための周波数領域リソースを更に指示することに用いられる。
【００９３】
つまり、ネットワーク機器はダウンリンク物理層制御シグナリングによって端末がＳＲＳを送信する時に使用された時間領域リソース及び周波数領域リソースを動的配置することができる。時間領域リソースの配置は第１端末装置のＳＲＳを送信するためのシンボルを含み、周波数領域リソースの配置は第１端末装置がＳＲＳを送信するための周波数領域リソースを含み、例えばリソースブロック（Ｒｅｓｏｕｒｃｅ  Ｂｌｏｃｋ、「ＲＢ」と略称）である。
【００９４】
具体的に、従来の４Ｇシステムにおいて、基地局は無線リソース制御（Ｒａｄｉｏ  Ｒｅｓｏｕｒｃｅ  Ｃｏｎｔｒｏｌ、「ＲＲＣ」と略称）シグナリングによってＳＲＳを伝送するリソースを半静的に配置し、基地局はダウンリンク物理層制御シグナリングにおけるＳＲＳリクエストによって非周期的ＳＲＳをアクティブ化することができるが、ＲＲＣシグナリングに従って配置したＳＲＳを伝送するためのリソースのみをアクティブ化でき、ＳＲＳを伝送するためのリソースを直接に配置することができず、周波数領域にＳＲＳを伝送するための周波数領域リソースを動的調整することができないため、数多くの必要ではないリソースを占用し、リソース無駄を引き起こし、５Ｇ大規模  ＭＩＭＯ技術における大量の端末装置が同一の周波数帯内でＳＲＳを送信することをサポートすることができない。該実施例において、ネットワーク機器は物理層制御シグナリングによってＳＲＳを伝送するための時間周波数領域リソースを動的配置することができ、時間領域には、ネットワーク機器は第１アップリンクサブフレームにＳＲＳを伝送するためのシンボルを配置することができ、周波数領域には、ＳＲＳを伝送するための周波数領域リソースを一定の伝送帯域幅内に制御することができ、例えば各端末装置のためにそれぞれのＳＲＳを伝送するためのリソースブロックを配置する。このように、最も少ない伝送リソースを占用してＳＲＳを伝送することを実現することができ、ネットワーク機器はチャネル可逆性に基づいてＣＳＩを取得する際に、端末装置がＳＲＳを伝送する際に占用されたリソースを大幅に節約することができる。
【００９５】
他の実施例として、第１端末装置のダウンリンクデータを伝送するための周波数領域の範囲は第１端末装置のＳＲＳを伝送するための周波数領域の範囲と同じである。
【００９６】
具体的に、ネットワーク機器は１つのダウンリンク物理層制御シグナリングによって第１端末へＳＲＳを送信するリソース、及び該端末へダウンリンクデータを送信するリソースを同時に配置することができ、第１端末装置のＳＲＳを伝送するための周波数領域リソースと該第１端末装置のダウンリンクデータを伝送するための周波数領域リソースとは同じ周波数領域リソースである。従来の４Ｇシステムにおいて、ネットワーク機器はＳＲＳを伝送するためのリソースへの配置及びダウンリンクデータを伝送するためのリソースへの配置に対して、両者の間に関連性が全くなく、本発明の実施例において、１つの制御シグナリングには同時にＳＲＳを伝送するためのリソース及びダウンリンクデータを伝送するためのリソースを配置することができ、例えば一つのリソース指示フィールドでＳＲＳを伝送するためのリソース及びダウンリンクデータを伝送するためのリソースを配置すると、不必要なシグナリングオーバーヘッドを減少することができる。
【００９７】
該実施例において、ネットワーク機器はチャネル可逆性に基づいてＣＳＩを取得して且つ該ＣＳＩに基づきダウンリンクデータを送信する際に、ＳＲＳを伝送するためのリソースとダウンリンクデータを伝送するためのリソースとは同じ周波数領域リソースを使用する。システムは周期的ＳＲＳによって周波数選択スケジューリング機能を完成することができるため、チャネル異質性のＳＲＳはより大きな周波数帯内で送信する必要がない。
【００９８】
例えば、図７に示すようなＳＲＳリソースとデータリソースとの模式図は、４２０でネットワーク機器が送信した制御シグナリングは同時に端末装置がＳＲＳを伝送するリソース及びダウンリンクデータを受信するリソースを指示することができ、同一の端末装置のＳＲＳを伝送する周波数領域リソースとダウンリンクデータを受信する周波数領域リソースとは同じであってもよい。例えば、第１端末装置は第１シンボルで第１端末装置のＳＲＳを送信し、且つネットワーク機器は第１端末装置がＳＲＳを送信するには使用された周波数領域リソースには、第１端末装置へ第１端末装置のダウンリンクデータを送信し、第２端末装置は第２シンボルで第２端末装置のＳＲＳを送信し、且つネットワーク機器は第２端末装置がＳＲＳを送信するには使用された周波数領域リソースには、第２端末装置へ第２端末装置のダウンリンクデータを送信し、第３端末装置は第３シンボルで第３端末装置のＳＲＳを送信し、且つネットワーク機器は第３端末装置がＳＲＳを送信するには使用された周波数領域リソースには、第３端末装置へ第３端末装置のダウンリンクデータを送信する。
【００９９】
他の実施例として、ネットワーク機器は第１端末装置へ制御シグナリングを送信する前に、即ち４２０の前に、該ＳＲＳを伝送する方法は４５０〜４７０を更に含む。
【０１００】
４５０において、第１端末装置はネットワーク機器へ第２指示情報を送信し、前記第２指示情報は第１端末装置のチャネル変化速度を指示することに用いられる。
【０１０１】
４６０において、ネットワーク機器は第１端末装置が送信した該第２指示情報を受信する。
【０１０２】
４７０において、ネットワーク機器は該第２指示情報が指示したチャネル変化速度に基づき、第１端末装置のダウンリンクデータを伝送するための第２シンボルを確定する。
【０１０３】
この時、選択可能に、４２０でネットワーク機器は端末装置へ送信する制御シグナリングの中で、第１端末装置のダウンリンクデータを受信するための第２シンボルの位置を更に指示することに用いられる。
【０１０４】
選択可能に、該指示情報は第１端末装置のチャネル変化速度の大きさ、或いは該第１端末装置のチャネル変化速度に対応した速度ランクを含んでよい。
【０１０５】
該速度ランクはネットワーク機器又は端末装置が異なるチャネル変化速度について分割した若干の速度ランクであってよく、該速度変化ランクは端末装置とネットワーク機器により予め約束されてもよい。端末装置は自分のチャネル変化速度に基づき自分に対応したチャネル変化ランクを確定し、且つ該指示情報によってネットワーク機器に報告する。
【０１０６】
具体的に、各端末装置は自分のチャネル変化速度の情報をネットワーク機器に報告することができ、ネットワーク機器は異なる端末装置のチャネル変化速度に基づき、第１アップリンクサブフレームにおけるＳＲＳを伝送するための複数のシンボルから、該端末装置のＳＲＳを伝送するためのシンボルの位置し、及び該端末装置のダウンリンクデータを伝送するための第２シンボルを、異なる端末装置に指示することができる。例えば第１端末装置はアップリンク制御シグナリングによってネットワーク機器へ第１端末装置のチャネル変化速度を指示するための第２指示情報を送信することができ、ネットワーク機器は第１端末装置が報告した該第２指示情報に基づき、第１端末装置のためにＳＲＳを伝送するためのリソース及びダウンリンクデータを伝送するためのリソースを配置する。
【０１０７】
以下、図８に示されるＳＲＳリソースとデータリソースの模式図を参照し、２つの端末装置、例えば第１端末装置及び第２端末装置を例として、ネットワーク機器は如何に端末装置のチャネル変化速度を指示する該指示情報に基づき、端末装置のためにＳＲＳを伝送するためのリソース及びダウンリンクデータを伝送するためのリソースを配置することを詳細的に説明する。
【０１０８】
他の実施例として、ネットワーク機器は４１０で確定した第１アップリンクサブフレームにおける複数のシンボルが、第２端末装置のＳＲＳを伝送するためのシンボルを更に含み、第１端末装置のチャネル変化速度は第２端末装置のチャネル変化速度より大きい場合、第１端末装置のＳＲＳを伝送するための第１シンボルは、第２端末装置のＳＲＳを伝送するためのシンボルの後に位置し、且つ第１端末装置のダウンリンクデータを伝送するための第２シンボルは、第２端末装置のダウンリンクデータを伝送するためのシンボルの前に位置する。
【０１０９】
具体的に、端末装置がＳＲＳを送信する時刻は受信する対応するダウンリンクデータの時刻とできるだけ近くようにし、端末装置のチャネル変化（Ｃｈａｎｎｅｌ  ａｇｉｎｇ）が速いほど、ＳＲＳ及びデータはより近くなければチャネルの変化に追わない。近い第１アップリンクサブフレームにおけるシンボルリソースとダウンリンクデータチャネルを伝送するリソースとは非常に限られ、ネットワーク機器は端末装置のチャネル変化速度の情報を把握しないと、これらの貴重なリソースを効果的に利用して、リソースへの最適化配置を実現することができない。該実施例において、端末装置は自分のチャネル変化速度を指示する指示情報をネットワーク機器へ送信することによって、ネットワーク機器にどれらの端末のチャネル変化が速く、どれらの端末のチャネル変化が相対的に遅いことを把握させ、それによりチャネル可逆性の実現に最も有利であるＳＲＳを伝送するシンボルリソースとダウンリンクデータを伝送するチャネルリソースを、チャネル変化速度が速い端末装置に優先的にスケジューリングする。例えば、端末装置はダウンリンクチャネル測定、全地球測位システム（Ｇｌｏｂａｌ  Ｐｏｓｉｔｉｏｎｉｎｇ  Ｓｙｓｔｅｍ、「ＧＰＳ」と略称）の座標変化及び端末装置の姿態変化等の情報によって自分のチャネル変化速度を評価し、且つネットワーク機器に報告する。
【０１１０】
理解すべきなのは、本発明の実施例におけるＳＲＳは、チャネルサウンディング基準信号（ＳＲＳ）を含んでよく、その他のＳＲＳを含んでよく、ここで制限がない。
【０１１１】
本発明の実施例による手段に基づいて、ネットワーク機器と端末装置とはアップリンクダウンリンクチャネル可逆性によって伝送する過程において、チャネル特性エージングによる影響を減少することができる。
【０１１２】
図９は本発明の他の実施例によるＳＲＳを伝送する方法のプロセス相互作用図である。図９では第１端末装置及びネットワーク機器を示し、例えば第１端末装置は図１に示すようなＵＥ  ２０〜ＵＥ  ９０の中の任意の１つの端末装置であってよく、ネットワーク機器は図１に示すようなｅＮｏｄｅＢ  １０であってよい。図９に示すように、該ＳＲＳを伝送する方法の具体的なフローは、
９１０において、第１端末装置は第２指示情報を確定し、該第２指示情報は第１端末装置のチャネル変化速度を指示するためのものであり、
９２０において、第１端末装置はネットワーク機器へ該第２指示情報を送信する。
【０１１３】
９３０において、ネットワーク機器は第１端末装置が送信した該第２指示情報を受信する。
【０１１４】
このため、ネットワーク機器は該第２指示情報に基づき第１端末装置のチャネル変化速度を取得することができ、該チャネル変化速度に基づきシステム伝送リソースを合理的に配置し、端末装置をスケジューリングする等を実現することができる。
【０１１５】
選択可能に、該方法は９４０を更に含む。
【０１１６】
９４０において、ネットワーク機器は該第２指示情報が指示したチャネル変化速度に基づき、第１端末装置のＳＲＳを伝送するための第１シンボルと第１端末装置のダウンリンクデータを伝送するための第２シンボルを確定する。
【０１１７】
選択可能に、該指示情報は第１端末装置のチャネル変化速度の大きさ、或いは該第１端末装置のチャネル変化速度に対応した速度ランクを含んでよい。
【０１１８】
該速度ランクはネットワーク機器或端末装置が異なるチャネル変化速度について分割した若干の速度ランクであってよく、該速度変化ランクは端末装置とネットワーク機器により予め約束されてもよい。端末装は自分のチャネル変化速度に基づき自分に対応したチャネル変化ランクを確定し、且つ該指示情報によってネットワーク機器に報告する。
【０１１９】
具体的に、各端末装置は自分のチャネル変化速度の情報をネットワーク機器に報告することができ、ネットワーク機器は異なる端末装置のチャネル変化速度に基づき、第１アップリンクサブフレームにおけるＳＲＳを伝送するための複数のシンボルから、該端末装置のＳＲＳを伝送するためのシンボルの位置し、及び該端末装置のダウンリンクデータを伝送するための第２シンボルを、異なる端末装置に指示することができる。例えば第１端末装置第１端末装置はアップリンク制御シグナリングによってネットワーク機器へ第１端末装置のチャネル変化速度を指示するための第２指示情報を送信することができ、ネットワーク機器は第１端末装置が報告した該第２指示情報に基づき、第１端末装置のためにＳＲＳを伝送するためのリソース及びダウンリンクデータを伝送するためのリソースを配置する。
【０１２０】
このように、ネットワーク機器は端末装置のチャネル変化速度に基づき端末装置のためにＳＲＳを伝送するためのリソース及びダウンリンクデータを伝送するためのリソースを配置することができるため、リソースを合理的に利用し、ネットワーク機器及び端末装置はアップリンクダウンリンクチャネル可逆性によって伝送する過程において、チャネル特性エージングによる影響を減少することができる。
【０１２１】
理解すべきなのは、本発明の実施例において、第１端末装置のダウンリンクデータ伝送は複数のシンボルを占用する必要があると、ここで所謂第１端末装置のダウンリンクデータを伝送するための第２シンボルは、第１端末装置のダウンリンクデータを伝送するための複数のシンボル内の開始シンボルを指してもよく、該開始シンボルの後の該ダウンリンクデータを伝送するシンボルの長さは、該開始シンボルの長さと同じであり、いずれもデータシンボルの長さである。該データシンボルの長さは、第１端末装置のＳＲＳを伝送するための第１シンボルの長さと、同じであっても異なっていてもよい。第１端末装置のダウンリンクデータ伝送に１つのシンボルのみを占用すると、該第２シンボルは該シンボルを指す。
【０１２２】
他の実施例として、第１端末装置のチャネル変化速度は第２端末装置のチャネル変化速度より大きいと、第１端末装置のＳＲＳを伝送するための第１シンボルは、第２端末装置のＳＲＳを伝送するためのシンボルの後に位置し、且つ第１端末装置のダウンリンクデータを伝送するための第２シンボルは、第２端末装置のダウンリンクデータを伝送するためのシンボルの前に位置する。
【０１２３】
該実施例における９１０〜９４０の具体的な説明は前記の４５０〜４７０の説明を参照することができ、簡潔にするために、ここでは繰り返さない。
【０１２４】
該実施例において、ネットワーク機器は端末装置のチャネル変化速度に基づき端末装置のためにＳＲＳを伝送するためのリソース及びダウンリンクデータを伝送するためのリソースを配置することができるため、リソースを合理的に利用し、ネットワーク機器及び端末装置はアップリンクダウンリンクチャネル可逆性によって伝送する過程において、チャネル特性エージングによる影響を減少することができる。
【０１２５】
理解すべきなのは、本発明の様々な実施例において、上記各過程の番号の大きさは実行順序の前後を意味しなく、各過程の実行順序はその機能及び組み込み論理で確定され、本発明の実施例による実施過程に対して制限がない。
【０１２６】
以上で、本発明の実施例による伝送データの方法を詳細的に説明し、以下、本発明の実施例によるネットワーク機器及び端末装置を説明する。理解すべきなのは、本発明の実施例によるネットワーク機器及び端末装置は前記の本発明の実施例による様々な方法を実行し、即ち以下の様々な装置の具体的に作業過程は、前記の方法実施例における対応過程を参照することができる。
【０１２７】
図１０は本発明の実施例によるネットワーク機器１０００の模式的なブロック図である。図１０に示すように、該ネットワーク機器１０００は確定モジュール１００１及び送信モジュール１００２を備える。
【０１２８】
確定モジュール１００１は、第１アップリンクサブフレームの中のＳＲＳを伝送するための複数のシンボルを確定することに用いられ、
送信モジュール１００２は、複数の端末装置内の各端末装置へ第１指示情報を送信することに用いられ、前記第１指示情報は前記確定モジュールが確定した複数のシンボル内の前記各端末装置に対応したシンボルを指示するためのものであり、前記複数の端末装置内の第１端末装置は前記複数のシンボル内の第１シンボルに対応し、前記第１シンボルは前記第１端末装置のＳＲＳを伝送することに用いられる。
【０１２９】
選択可能に、前記第１アップリンクサブフレームと前記第１アップリンクサブフレームの後の最初のダウンリンクサブフレームとの間のサブフレームの数は所定の数より小さい又は等しい。
【０１３０】
選択可能に、前記第１アップリンクサブフレームの次のサブフレームはダウンリンクサブフレームである。
【０１３１】
選択可能に、前記第１端末装置のＳＲＳを伝送するための前記第１シンボルの長さは、前記第１端末装置のダウンリンクデータを伝送するための第２シンボルの長さと同じではない。
【０１３２】
選択可能に、前記確定モジュール１００１は更に、
前記第１端末装置のＳＲＳを伝送するための周波数領域リソースを確定することに用いられ、
前記送信モジュール１００２が前記第１端末装置へ送信する前記第１指示情報は、前記第１端末装置のＳＲＳを伝送するための周波数領域リソースを更に指示する。
【０１３３】
選択可能に、前記第１端末装置のダウンリンクデータを伝送するための周波数領域の範囲は、前記第１端末装置のＳＲＳを伝送するための周波数領域の範囲と同じである。
【０１３４】
選択可能に、前記ネットワーク機器１０００は更に、
前記第１端末装置が送信した前記第１端末装置のチャネル変化速度を指示するための第２指示情報を受信するための受信モジュール１００３を備える。
【０１３５】
選択可能に、前記確定モジュール１００１は更に、前記チャネル変化速度に基づき、前記第１端末装置のダウンリンクデータを伝送するための第２シンボルを確定することに用いられ、前記ネットワーク機器は前記第１端末装置へ送信する前記第１指示情報は、前記第１端末装置のダウンリンクデータを伝送するための第２シンボルを更に指示する。
【０１３６】
選択可能に、前記複数のシンボルは第２端末装置のＳＲＳを伝送するためのシンボルを更に含み、前記第１端末装置のチャネル変化速度は前記第２端末装置のチャネル変化速度より大きく、
前記第１端末装置のＳＲＳを伝送するための前記第１シンボルは、前記第２端末装置のＳＲＳを伝送するためのシンボルの後に位置し、且つ前記第１端末装置のダウンリンクデータを伝送するための第２シンボルは、前記第２端末装置のダウンリンクデータを伝送するためのシンボルの前に位置する。
【０１３７】
選択可能に、前記第２指示情報は前記第１端末装置のチャネル変化速度の大きさ、或いは前記第１端末装置のチャネル変化速度に対応した速度ランクを含む。
【０１３８】
このため、複数の端末装置のＳＲＳを伝送するためのシンボルはいずれも第１アップリンクサブフレームに位置するため、ネットワーク機器と端末装置とはアップリンクダウンリンクチャネル可逆性によって伝送する過程において、チャネル特性エージングによる影響を減少することができる。
【０１３９】
注意すべきなのは、本発明の実施例において、確定モジュール１００１はプロセッサーにより実現することができ、送信モジュール１００２はトランシーバにより実現することができる。図１０に示すように、ネットワーク機器１１００はプロセッサー１１１０、トランシーバ１１２０及びメモリ１１３０を備えてよい。トランシーバ１１２０は受信機１１２１及び送信機１１２２を備えてよく、メモリ１１３０はプロセッサー１１１０が実行したコード等を記憶することに用いられることができる。ネットワーク機器１１００における各アセンブリはバスシステム９４０によってカップリングされ、バスシステム１１４０はデータバスを含む以外、電源バス、制御バス及び状態信号バス等を更に含む。
【０１４０】
プロセッサー１１１０は、第１アップリンクサブフレームの中のＳＲＳを伝送するための複数のシンボルを確定することに用いられ、
前記トランシーバ１１２０は、複数の端末装置内の各端末装置へ第１指示情報を送信することに用いられ、前記第１指示情報は前記確定モジュールが確定した複数のシンボル内の前記各端末装置に対応したシンボルを指示するためのものであり、前記複数の端末装置内の第１端末装置は前記複数のシンボル内の第１シンボルに対応し、前記第１シンボルは前記第１端末装置のＳＲＳを伝送することに用いられる。
【０１４１】
選択可能に、前記第１アップリンクサブフレームと前記第１アップリンクサブフレームの後の最初のダウンリンクサブフレームとの間のサブフレームの数は所定の数より小さい又は等しい。
【０１４２】
選択可能に、前記第１アップリンクサブフレームの次のサブフレームはダウンリンクサブフレームである。
【０１４３】
選択可能に、前記第１端末装置のＳＲＳを伝送するための前記第１シンボルの長さは、前記第１端末装置のダウンリンクデータを伝送するための第２シンボルの長さと同じではない。
【０１４４】
選択可能に、前記プロセッサー１１１０は更に、前記第１端末装置のＳＲＳを伝送するための周波数領域リソースを確定することに用いられ、
前記トランシーバ１１２０が前記第１端末装置へ送信する前記第１指示情報は、前記第１端末装置のＳＲＳを伝送するための周波数領域リソースを更に指示する。
【０１４５】
選択可能に、前記第１端末装置のダウンリンクデータを伝送するための周波数領域の範囲は、前記第１端末装置のＳＲＳを伝送するための周波数領域の範囲と同じである。
【０１４６】
選択可能に、前記トランシーバ１１２０は更に、前記第１端末装置が送信した前記第１端末装置のチャネル変化速度を指示するための第２指示情報を受信することに用いられ、
プロセッサー１１１０は更に、前記チャネル変化速度に基づき、前記第１端末装置のダウンリンクデータを伝送するための第２シンボルを確定することに用いられる。
【０１４７】
選択可能に、前記複数のシンボルは第２端末装置のＳＲＳを伝送するためのシンボルを更に含み、前記第１端末装置のチャネル変化速度は前記第２端末装置のチャネル変化速度より大きく、
前記第１端末装置のＳＲＳを伝送するための前記第１シンボルは、前記第２端末装置のＳＲＳを伝送するためのシンボルの後に位置し、且つ前記第１端末装置のダウンリンクデータを伝送するための第２シンボルは、前記第２端末装置のダウンリンクデータを伝送するためのシンボルの前に位置する。
【０１４８】
選択可能に、前記第２指示情報は前記第１端末装置のチャネル変化速度の大きさ、或いは前記第１端末装置のチャネル変化速度に対応した速度ランクを含む。
【０１４９】
図１２は本発明の実施例によるシステムチップの１つの模式的な構造図である。図１２のシステムチップ１２００は入力インターフェース１２０１、出力インターフェース１２０２、少なくとも１つのプロセッサー１２０３、メモリ１２０４を備え、前記入力インターフェース１２０１、出力インターフェース１２０２、前記プロセッサー１２０３及びメモリ１２０４の間にバス１２０５によって接続され、前記プロセッサー１２０３は前記メモリ１２０４におけるコードを実行することに用いられ、前記コードが実行される際に、前記プロセッサー１２０３は図４〜図８におけるネットワーク機器が実行した方法を実現する。
【０１５０】
図１０に示すようなネットワーク機器１０００又は図１１に示すようなネットワーク機器１１００又は図１２に示すようなシステムチップ１２００は前記の図４〜図８方法実施例におけるネットワーク機器により実現した各過程を実現することができ、繰り返しを避けるため、ここでは繰り返さない。
【０１５１】
図１３は本発明の実施例による端末装置１３００の模式的なブロック図である。図１３に示すように、該端末装置１３００は受信モジュール１３０１及び送信モジュール１３０２を備える。
【０１５２】
受信モジュール１３０１は、ネットワーク機器が送信した第１指示情報を受信することに用いられ、前記第１指示情報は第１アップリンクサブフレームにおける前記第１端末装置のＳＲＳを伝送するための第１シンボルを指示し、前記第１アップリンクサブフレームは複数の端末装置のＳＲＳを伝送するための複数のシンボルを含み、前記複数の端末装置は前記第１端末装置を含み、前記複数のシンボルは前記第１シンボルを含み、
送信モジュール１３０２は、前記受信モジュール１３０１で受信した前記第１シンボルで前記ネットワーク機器へ前記第１端末装置のＳＲＳを送信することに用いられる。
【０１５３】
このため、複数の端末装置のＳＲＳを伝送するためのシンボルはいずれも第１アップリンクサブフレームに位置するため、ネットワーク機器と端末装置とはアップリンクダウンリンクチャネル可逆性によって伝送する過程において、チャネル特性エージングによる影響を減少することができる。
【０１５４】
選択可能に、前記第１アップリンクサブフレームと前記第１アップリンクサブフレームの後の最初のダウンリンクサブフレームとの間のサブフレームの数は所定の数より小さい又は等しい。
【０１５５】
選択可能に、前記第１アップリンクサブフレームの次のサブフレームはダウンリンクサブフレームである。
【０１５６】
選択可能に、前記第１端末装置のＳＲＳを伝送するための前記第１シンボルの長さは、前記第１端末装置のダウンリンクデータを伝送するための第２シンボルの長さと同じではない。
【０１５７】
選択可能に、前記第１端末装置が前記ネットワーク機器から受信した前記第１指示情報は、前記第１端末装置のＳＲＳを伝送するための周波数領域リソースを更に指示する。
【０１５８】
選択可能に、前記第１端末装置のダウンリンクデータを伝送するための周波数領域の範囲は、前記第１端末装置のＳＲＳを伝送するための周波数領域の範囲と同じである。
【０１５９】
選択可能に、前記送信モジュール１３０２は更に、前記ネットワーク機器へ前記第１端末装置のチャネル変化速度を指示するための第２指示情報を送信することに用いられ、前記受信モジュール１３０１は前記ネットワーク機器が受信した前記第１指示情報は、前記第１端末装置のダウンリンクデータを伝送するための第２シンボルの位置を更に指示する。
【０１６０】
選択可能に、前記複数のシンボルは第２端末装置のＳＲＳを伝送するためのシンボルを更に含み、前記第１端末装置のチャネル変化速度は前記第２端末装置のチャネル変化速度より大きく、前記第１端末装置のＳＲＳを伝送するための前記第１シンボルは、前記第２端末装置のＳＲＳを伝送するためのシンボルの後に位置し、且つ前記第１端末装置のダウンリンクデータを伝送するための第２シンボルは、前記第２端末装置のダウンリンクデータを伝送するためのシンボルの前に位置する。
【０１６１】
選択可能に、前記第２指示情報は前記第１端末装置のチャネル変化速度の大きさ、或いは前記第１端末装置のチャネル変化速度に対応した速度ランクを含む。
【０１６２】
注意すべきなのは、本発明の実施例において、受信モジュール１３０１及び送信モジュール１３０２はトランシーバにより実現することができる。図１４に示すように、端末装置１４００はプロセッサー１４１０、トランシーバ１４２０及びメモリ１４３０を備えてよい。トランシーバ１４２０は受信機１４２１及び送信機１４２２を備えてよく、メモリ１４３０はプロセッサー１４１０が実行したコード等を記憶することに用いられることができる。端末装置１４００における各アセンブリはバスシステム１４４０によってカップリングされ、バスシステム１４４０はデータバスを含む以外、電源バス、制御バス及び状態信号バス等を更に含む。
【０１６３】
トランシーバ１４２０は、ネットワーク機器が送信した第１指示情報を受信することに用いられ、前記第１指示情報は第１アップリンクサブフレームにおける前記第１端末装置のＳＲＳを伝送するための第１シンボルを指示し、前記第１アップリンクサブフレームは複数の端末装置のＳＲＳを伝送するための複数のシンボルを含み、前記複数の端末装置は前記第１端末装置を含み、前記複数のシンボルは前記第１シンボルを含み、前記第１シンボルで前記ネットワーク機器へ前記第１端末装置のＳＲＳを送信する。
【０１６４】
選択可能に、前記第１アップリンクサブフレームと前記第１アップリンクサブフレームの後の最初のダウンリンクサブフレームとの間のサブフレームの数は所定の数より小さい又は等しい。
【０１６５】
選択可能に、前記第１アップリンクサブフレームの次のサブフレームはダウンリンクサブフレームである。
【０１６６】
選択可能に、前記第１端末装置のＳＲＳを伝送するための前記第１シンボルの長さは、前記第１端末装置のダウンリンクデータを伝送するための第２シンボルの長さと同じではない。
【０１６７】
選択可能に、前記第１端末装置が前記ネットワーク機器から受信した前記第１指示情報は、前記第１端末装置のＳＲＳを伝送するための周波数領域リソースを更に指示する。
【０１６８】
選択可能に、前記第１端末装置のダウンリンクデータを伝送するための周波数領域の範囲は、前記第１端末装置のＳＲＳを伝送するための周波数領域の範囲と同じである。
【０１６９】
選択可能に、前記トランシーバ１４２０は更に、前記ネットワーク機器へ前記第１端末装置のチャネル変化速度を指示するための第２指示情報を送信することに用いられ、前記受信モジュール１３０１は前記ネットワーク機器から受信した前記第１指示情報は、前記第１端末装置のダウンリンクデータを伝送するための第２シンボルの位置を更に指示する。
【０１７０】
選択可能に、前記複数のシンボルは第２端末装置のＳＲＳを伝送するためのシンボルを更に含み、前記第１端末装置のチャネル変化速度は前記第２端末装置のチャネル変化速度より大きく、前記第１端末装置のＳＲＳを伝送するための前記第１シンボルは、前記第２端末装置のＳＲＳを伝送するためのシンボルの後に位置し、且つ前記第１端末装置のダウンリンクデータを伝送するための第２シンボルは、前記第２端末装置のダウンリンクデータを伝送するためのシンボルの前に位置する。
【０１７１】
選択可能に、前記第２指示情報は前記第１端末装置のチャネル変化速度の大きさ、或いは前記第１端末装置のチャネル変化速度に対応した速度ランクを含む。
【０１７２】
図１５は本発明の実施例によるシステムチップのある模式的な構造図である。図１５のシステムチップ１５００は入力インターフェース１５０１、出力インターフェース１５０２、少なくとも１つのプロセッサー１５０３、メモリ１５０４を備え、前記入力インターフェース１５０１、出力インターフェース１５０２、前記プロセッサー１５０３及びメモリ１５０４の間にバス１５０５によって接続され、前記プロセッサー１５０３は前記メモリ１５０４におけるコードを実行することに用いられ、前記コードが実行される際に、前記プロセッサー１５０３は図４〜図８における端末装置が実行した方法を実現する。
【０１７３】
図１３に示すような端末装置１３００又は図１４に示すような端末装置１４００又は図１５に示すようなシステムチップ１５００は前記の図４〜図８方法実施例における端末装置により実現する各過程を実現することができ、繰り返しを避けるために、ここで繰り返さない。
【０１７４】
図１６は本発明の実施例によるネットワーク機器１６００の模式的なブロック図を示す。図１６に示すように、該ネットワーク機器１６００は受信モジュール１６０１を備え、第１端末装置が送信した前記第１端末装置のチャネル変化速度を指示するための指示情報を受信することに用いられる。
【０１７５】
選択可能に、ネットワーク機器１６００は、前記チャネル変化速度に基づき、前記第１端末装置のＳＲＳを伝送するための第１シンボル、及び前記第１端末装置のダウンリンクデータを伝送するための第２シンボルを確定するための確定モジュール１６０２を更に備える。
【０１７６】
選択可能に、前記第１端末装置のチャネル変化速度は第２端末装置のチャネル変化速度より大きく、前記第１端末装置のＳＲＳを伝送するための前記第１シンボルは、前記第２端末装置のＳＲＳを伝送するためのシンボルの後に位置し、且つ前記第１端末装置のダウンリンクデータを伝送するための第２シンボルは、前記第２端末装置のダウンリンクデータを伝送するためのシンボルの前に位置する。
【０１７７】
選択可能に、前記指示情報は前記第１端末装置のチャネル変化速度の大きさ、或いは前記第１端末装置のチャネル変化速度に対応した速度ランクを含む。
【０１７８】
このため、ネットワーク機器は端末装置のチャネル変化速度に基づき端末装置のためにＳＲＳを伝送するためのリソース及びダウンリンクデータを伝送するためのリソースを配置することができるため、リソースを合理的に利用し、ネットワーク機器及び端末装置はアップリンクダウンリンクチャネル可逆性によって伝送する過程において、チャネル特性エージングによる影響を減少することができる。
【０１７９】
注意すべきなのは、本発明の実施例において、受信モジュール１７０１及び送信モジュール１７０２はトランシーバにより実現することができる。図１７に示すように、ネットワーク機器１７００はプロセッサー１７１０、トランシーバ１７２０及びメモリ１７３０を備えてよい。トランシーバ１７２０は受信機１７２１及び送信機１７２２を備えてよく、メモリ１７３０はプロセッサー１７１０が実行したコード等を記憶することに用いられることができる。ネットワーク機器１７００における各アセンブリはバスシステム１７４０によってカップリングされ、バスシステム１７４０はデータバスを含む以外、電源バス、制御バス及び状態信号バス等を更に含む。
【０１８０】
トランシーバ１７２０は、第１端末装置が送信した前記第１端末装置のチャネル変化速度を指示するための指示情報を受信することに用いられる。
【０１８１】
選択可能に、前記プロセッサー１７１０は、前記トランシーバ１７２０が受信した前記チャネル変化速度に基づき、前記第１端末装置のＳＲＳを伝送するための第１シンボル、及び前記第１端末装置のダウンリンクデータを伝送するための第２シンボルを確定することに用いられる。
【０１８２】
選択可能に、前記第１端末装置のチャネル変化速度は第２端末装置のチャネル変化速度より大きく、前記第１端末装置のＳＲＳを伝送するための前記第１シンボルは、前記第２端末装置のＳＲＳを伝送するためのシンボルの後に位置し、且つ前記第１端末装置のダウンリンクデータを伝送するための第２シンボルは、前記第２端末装置のダウンリンクデータを伝送するためのシンボルの前に位置する。
【０１８３】
選択可能に、前記指示情報は前記第１端末装置のチャネル変化速度の大きさ、或いは前記第１端末装置のチャネル変化速度に対応した速度ランクを含む。
【０１８４】
図１８は本発明の実施例によるシステムチップのある模式的な構造図である。図１８のシステムチップ１８００は入力インターフェース１８０１、出力インターフェース１８０２、少なくとも１つのプロセッサー１８０３、メモリ１８０４を備え、前記入力インターフェース１８０１、出力インターフェース１８０２、前記プロセッサー１８０３及びメモリ１８０４の間にバス１８０５によって接続され、前記プロセッサー１８０３は前記メモリ１８０４におけるコードを実行することに用いられ、前記コードが実行される際に、前記プロセッサー１８０３は図９におけるネットワーク機器が実行する方法を実現する。
【０１８５】
図１６に示すようなネットワーク機器１６００又は図１７に示すようなネットワーク機器１７００又は図１８に示すようなシステムチップ１８００は前記の図８方法実施例におけるネットワーク機器により実現した各過程を実現することができ、繰り返しを避けるために、ここで繰り返さない。
【０１８６】
図１９は本発明の実施例による端末装置１９００の模式的なブロック図である。図１９に示すように、該ネットワーク機器１９００は送信モジュール１９０１を備え、ネットワーク機器へ前記第１端末装置のチャネル変化速度を指示するための指示情報を送信することに用いられる。
【０１８７】
選択可能に、前記第１端末装置のチャネル変化速度は第２端末装置のチャネル変化速度より大きく、前記第１端末装置のＳＲＳを伝送するための第１シンボルは、前記第２端末装置のＳＲＳを伝送するためのシンボルの後に位置し、且つ前記第１端末装置のダウンリンクデータを伝送するための第２シンボルは、前記第２端末装置のダウンリンクデータを伝送するためのシンボルの前に位置する。
【０１８８】
選択可能に、前記指示情報は前記第１端末装置のチャネル変化速度の大きさ、或いは前記第１端末装置のチャネル変化速度に対応した速度ランクを含む。
【０１８９】
このため、端末装置はネットワーク機器へ自分のチャネル変化速度を報告することによって、ネットワーク機器は端末装置のチャネル変化速度に基づき端末装置のためにＳＲＳを伝送するためのリソース及びダウンリンクデータを伝送するためのリソースを配置させることができ、それにより、リソースを合理的に利用し、ネットワーク機器及び端末装置はアップリンクダウンリンクチャネル可逆性によって伝送する過程において、チャネル特性エージングによる影響を減少することができる。
【０１９０】
注意すべきなのは、本発明の実施例において、受信モジュール２００１及び送信モジュール２００２はトランシーバにより実現することができる。図２０に示すように、端末装置２０００はプロセッサー２０１０、トランシーバ２０２０及びメモリ２０３０を備えてよい。トランシーバ２０２０は受信機２０２１及び送信機２０２２を備えてよく、メモリ２０３０はプロセッサー２０１０が実行したコード等を記憶することに用いられることができる。ネットワーク機器２０００における各アセンブリはバスシステム２０４０によってカップリングされ、バスシステム２０４０はデータバスを含む以外、電源バス、制御バス及び状態信号バス等を更に含む。
【０１９１】
前記プロセッサー２０１０は、前記第１端末装置のチャネル変化速度を指示するための指示情報を確定することに用いられる。
【０１９２】
選択可能に、前記トランシーバ２０２０は、ネットワーク機器へ前記プロセッサー２０１０が確定した前記指示情報を送信し、前記ネットワーク機器は前記第１端末装置のチャネル変化速度に基づき前記第１端末装置のＳＲＳを伝送するための第１シンボル及び前記第１端末装置のダウンリンクデータを伝送するための第２シンボルを確定するようにすることに用いられる。
【０１９３】
選択可能に、前記第１端末装置のチャネル変化速度は第２端末装置のチャネル変化速度より大きく、前記第１端末装置のＳＲＳを伝送するための第１シンボルは、前記第２端末装置のＳＲＳを伝送するためのシンボルの後に位置し、且つ前記第１端末装置のダウンリンクデータを伝送するための第２シンボルは、前記第２端末装置のダウンリンクデータを伝送するためのシンボルの前に位置する。
【０１９４】
選択可能に、前記指示情報は前記第１端末装置のチャネル変化速度の大きさ、或いは前記第１端末装置のチャネル変化速度に対応した速度ランクを含む。
【０１９５】
図２１は本発明の実施例によるシステムチップのある模式的な構造図である。図２１のシステムチップ２１００は入力インターフェース２１０１、出力インターフェース２１０２、少なくとも１つのプロセッサー２１０３、メモリ２１０４を備えてよく、前記入力インターフェース２１０１、出力インターフェース２１０２、前記プロセッサー２１０３及びメモリ２１０４の間にバス２１０５によって接続され、前記プロセッサー２１０３は前記メモリ２１０４におけるコードを実行することに用いられ、前記コードが実行される際に、前記プロセッサー２１０３は図９における端末装置が実行する方法を実現する。
【０１９６】
図１９に示すような端末装置１９００又は図２０に示すような端末装置２０００又は図２１に示すようなシステムチップ２１００は前記の図８方法実施例における端末装置により実現した各過程を実現することができ、繰り返しを避けるために、ここで繰り返さない。
【０１９７】
理解できるのは、本発明の実施例におけるプロセッサーは集積回路チップであってよく、信号の処理能力を有する。実現過程において、上記の方法実施例の各ステップはプロセッサーにおけるハードウェアの集積ロジック回路或いはソフトウェア形式の命令によって完成されることができる。上記のプロセッサーは汎用プロセッサー、デジタル信号プロセッサー（Ｄｉｇｉｔａｌ  Ｓｉｇｎａｌ  Ｐｒｏｃｅｓｓｏｒ、「ＤＳＰ」と略称）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、「ＡＳＩＣ」と略称）、フィールドプログラマブルゲートアレイ（Ｆｉｅｌｄ  Ｐｒｏｇｒａｍｍａｂｌｅ  Ｇａｔｅ  Ａｒｒａｙ、「ＦＰＧＡ」と略称）或いはその他のプログラマブルロジックデバイス、離散ゲート或いはトランジスタ論理デバイス、離散ハードウェアコンポーネントであってよい。本発明の実施例に開示された各方法、ステップ及び論理ブロック図を実現或いは実行することができる。汎用プロセッサーはマイクロプロセッサーであってよく或いは該プロセッサーは任意の従来のプロセッサー等であってもよい。本発明の実施例に開示された方法を組み合わせたステップはハードウェアデコードプロセッサーにより実行して完成し、或いはデコードプロセッサーにおけるハードウェアとソフトウェアモジュールとの組み合わせにより実行して完成するように直接に体現することができる。ソフトウェアモジュールはランダムアクセスメモリ、フラッシュメモリ、読み出し専用メモリ、プログラム可能読み出し専用メモリまたは電気的消去可能プログラマブルメモリ、レジスタなどの本分野において成熟した記憶媒体に位置することができる。該記憶媒体はメモリに位置し、プロセッサーはメモリにおける情報を読み取り、そのハードウェアを組み合わせて上記方法のステップを完成する。
【０１９８】
理解できるのは、本発明の実施例におけるメモリは揮発性メモリ又は不揮発性メモリであってよく、又は揮発性と不揮発性メモリをともに含んでよい。不揮発性メモリは読み取り専用メモリ（Ｒｅａｄ−Ｏｎｌｙ  Ｍｅｍｏｒｙ、「ＲＯＭ」と略称）、プログラマブル読み取り専用メモリ（Ｐｒｏｇｒａｍｍａｂｌｅ  ＲＯＭ、「ＰＲＯＭ」と略称）、消去可能なプログラマブル読み取り専用メモリ（Ｅｒａｓａｂｌｅ  ＰＲＯＭ、「ＥＰＲＯＭ」と略称）、電気的に消去可能なプログラマブル読み取り専用メモリ（Ｅｌｅｃｔｒｉｃａｌｌｙ  ＥＰＲＯＭ、「ＥＥＰＲＯＭ」と略称）又はフラッシュメモリであってよい。揮発性メモリはランダムアクセスメモリ（Ｒａｎｄｏｍ  Ａｃｃｅｓｓ  Ｍｅｍｏｒｙ、「ＲＡＭ」と略称）あってよく、外部キャッシュとして使用される。例示的なものであるが限定するためのものではない説明によって、複数の形式のＲＡＭを利用することができ、例えばスタティックランダムアクセスメモリ（Ｓｔａｔｉｃ  ＲＡＭ、「ＳＲＡＭ」と略称）、ダイナミックランダムアクセスメモリ（Ｄｙｎａｍｉｃ  ＲＡＭ、「ＤＲＡＭ」と略称）、同期ダイナミックランダムアクセスメモリ（Ｓｙｎｃｈｒｏｎｏｕｓ  ＤＲＡＭ、「ＳＤＲＡＭ」と略称）、ダブルデータ速率同期ダイナミックランダムアクセスメモリ（Ｄｏｕｂｌｅ  Ｄａｔａ  Ｒａｔｅ  ＳＤＲＡＭ、「ＤＤＲ  ＳＤＲＡＭ」と略称）、強化型同期ダイナミックランダムアクセスメモリ（Ｅｎｈａｎｃｅｄ  ＳＤＲＡＭ、「ＥＳＤＲＡＭ」と略称）、同期接続ダイナミックランダムアクセスメモリ（Ｓｙｎｃｈｌｉｎｋ  ＤＲＡＭ、「ＳＬＤＲＡＭ」と略称）及び直接メモリバスランダムアクセスメモリ（Ｄｉｒｅｃｔ  Ｒａｍｂｕｓ  ＲＡＭ、「ＤＲ  ＲＡＭ」と略称）を利用することができる。注意すべきなのは、本文に記載のシステムと方法のメモリはこれらと任意の他の適合なタイプのメモリを含むが、これらに限定されない。
【０１９９】
また、本文における用語「システム」及び「ネットワーク」は本文で交換可能に使用される場合が多い。本文における用語「及び／又は」、は、単に関連オブジェクトを説明するための関連関係であり、三種の関係が存在してよいことを示し、例えば、Ａ及び／又はＢは、単独にＡが存在し、同時にＡとＢが存在し、単独にＢが存在するという三種の場合を示すことができる。また、本文におけるキャラクター「／」は、一般的に前後関連オブジェクトが「又は」の関係であることを示すことを理解すべきである。
【０２００】
理解すべきなのは、本発明の実施例において、「Ａに対応するＢ」とはＢがＡに関連すると示され、ＡによってＢを確定することができる。しかし、理解すべきなのは、ＡによってＢを確定することは単にＡによってＢを確定することを意味せず、更にＡ及び／又はその他の情報によってＢを確定することができる。
【０２０１】
当業者は、本文に開示された実施例に記載の各例示のユニット及びアルゴリズムステップを組み合わせて、電子ハードウェア、又はコンピュータソフトウェア及び電子ハードウェアの組み合わせで実現することができることを認識することができる。これらの機能はハードウェアで実行するかソフトウェアで実行するかは、技術案の特定のアプリケーションおよび設計制約によって決められる。当業者は各特定のアプリケーションに対して異なる方法で説明した機能を実現することができるが、このような実現は本発明の範囲を超えると考えられない。
【０２０２】
当業者は、便利且つ簡単に説明するために、上記に記載のシステム、装置及びユニットの具体的な作業過程は、上記方法の実施例における対応過程を参照することができ、ここで繰り返して説明しないことを明らかに了解する。
【０２０３】
本発明によるいくつかの実施例において、開示したシステム、装置及び方法は、その他の方式によって実現されることができることを理解すべきである。例えば以上のような装置実施例は単に例示的なものだけであり、例えば、前記ユニットの分割は、ロジック機能分割だけであり、実際な実現時に別の分割方式があり、例えば、複数のユニット又は組立部品を結合してもよいし、又は別のシステムに集積してもよいし、又はいくつかの特徴を無視でき、又は実行しなくてもよい。また、表示又は検討した互いの間にカップリング、又は直接カップリング、又は通信接続はいくつかのインターフェース、装置又はユニットによる間接カップリング又は通信接続であってよく、電気的、機械的又はその形式の接続であってもよい。
【０２０４】
上記の分離部材として説明したユニットは物理的に分離してもよいし、又は分離しなくてもよく、ユニットとして表示する部材は物理ユニットであってもよいし、又は物理ユニットではなくてもよく、即ち１つの場所に位置してもよいし、複数のネットワークユニットに分布してもよい。実際の需要に応じてその中の一部又は全部のユニットを選択して本実施例手段の目的を実現することができる。
【０２０５】
また、本発明の各実施例における各機能ユニットは１つの処理ユニットに集積されてもよいし、各ユニットは単独に物理的に存在してもよいし、２つ又は２つ以上のユニットは１つのユニットに集積されてもよい。
【０２０６】
前記機能はソフトウェア機能ユニットの形式で実現するとともに独立した製品として販売又は使用される場合、1つのコンピュータ読み取り可能な記憶媒体に記憶することができる。このような理解に基づいて、本発明の実施例の技術的解決手段は本質的或いは従来技術に貢献する部分は或いは該技術的解決手段の部分はソフトウェア製品の形式で表現することができ、該コンピュータソフトウェア製品が１つの記憶媒体に記憶され、一台のコンピュータ設備（パーソナルコンピュータ、サーバー、或いはネットワーク設備等である）が本発明の各実施例に記載の方法の全部又は一部を実行するための若干の指令を含む。前述の記憶媒体は、Ｕディスク、モバイルハードディスク、読み出し専用記憶装置（Ｒｅａｄ−Ｏｎｌｙ  Ｍｅｍｏｒｙ、称「ＲＯＭ」と略）、ランダムアクセスメモリ（Ｒａｎｄｏｍ  Ａｃｃｅｓｓ  Ｍｅｍｏｒｙ、「ＲＡＭ」と略称）、ディスク或いはＣＤ等の様々なプログラムコードを記憶できる媒体である。
【０２０７】
以上のように、単に本発明の具体的な実施形態であるが、本発明の保護範囲はこれに限定されず、当業者は誰でも、本発明に開示された技術範囲において、変化又は置換を考えやすく、それらはすべて本発明の保護範囲に含まれる。このため、本発明の保護範囲は前記請求の範囲の保護範囲を基準とすべきである。
【図１】
2019535171.tif 000003
【図２】
2019535171.tif 000004
【図３】
2019535171.tif 000005
【図４】
2019535171.tif 000006
【図５】
2019535171.tif 000007
【図６】
2019535171.tif 000008
【図７】
2019535171.tif 000009
【図８】
2019535171.tif 000010
【図９】
2019535171.tif 000011
【図１０】
2019535171.tif 000012
【図１１】
2019535171.tif 000013
【図１２】
2019535171.tif 000014
【図１３】
2019535171.tif 000015
【図１４】
2019535171.tif 000016
【図１５】
2019535171.tif 000017
【図１６】
2019535171.tif 000018
【図１７】
2019535171.tif 000019
【図１８】
2019535171.tif 000020
【図１９】
2019535171.tif 000021
【図２０】
2019535171.tif 000022
【図２１】
2019535171.tif 000023
【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
チャネルサウンディング基準信号（ＳＲＳ）を伝送する方法であって、前記方法は、
第１端末装置はネットワーク機器が送信した第１指示情報を受信し、前記第１指示情報は前記第１端末装置のＳＲＳを伝送するための第１シンボルの位置を指示する、こと、及び
前記第１端末装置は前記第１シンボルで前記ネットワーク機器へ前記第１端末装置のＳＲＳを送信すること、
を含む、ことを特徴とするＳＲＳを伝送する方法。
【請求項２】
前記第１指示情報が前記第１端末装置のＳＲＳを伝送するための第１シンボルの位置を指示することは、
前記第１指示情報が、前記第１端末装置のＳＲＳを伝送するための第１シンボルの第１アップリンクサブフレームにおける位置を指示すること、を含む、
ことを特徴とする請求項１に記載の方法。
【請求項３】
前記第１アップリンクサブフレームは複数の端末装置のＳＲＳを伝送するための複数のシンボルを含み、前記複数の端末装置は前記第１端末装置を含み、前記複数のシンボルは前記第１シンボルを含む、
ことを特徴とする請求項２に記載の方法。
【請求項４】
前記第１端末装置のＳＲＳを伝送するための前記第１シンボルの長さは、前記第１端末装置のダウンリンクデータを伝送するための第２シンボルの長さと同じではない
ことを特徴とする請求項１〜３のいずれか１項に記載の方法。
【請求項５】
前記第１端末装置が前記ネットワーク機器から受信した前記第１指示情報は、前記第１端末装置のＳＲＳを伝送するための周波数領域リソースを更に指示する
ことを特徴とする請求項１〜４のいずれか１項に記載の方法。
【請求項６】
前記第１端末装置のダウンリンクデータを伝送するための周波数領域の範囲は、前記第１端末装置のＳＲＳを伝送するための周波数領域の範囲と同じである
ことを特徴とする請求項１〜５のいずれか１項に記載の方法。
【請求項７】
前記方法は更に、
前記第１端末装置は前記ネットワーク機器へ前記第１端末装置のチャネル変化速度を指示するための第２指示情報を送信することを含み、
前記第１端末装置が前記ネットワーク機器から受信した前記第１指示情報は、前記第１端末装置のダウンリンクデータを伝送するための第２シンボルを更に指示する
ことを特徴とする請求項３〜６のいずれか１項に記載の方法。
【請求項８】
前記複数のシンボルは第２端末装置のＳＲＳを伝送するためのシンボルを更に含み、前記第１端末装置のチャネル変化速度は前記第２端末装置のチャネル変化速度より大きく、
前記第１端末装置のＳＲＳを伝送するための前記第１シンボルは、前記第２端末装置のＳＲＳを伝送するためのシンボルの後に位置し、且つ前記第１端末装置のダウンリンクデータを伝送するための第２シンボルは、前記第２端末装置のダウンリンクデータを伝送するためのシンボルの前に位置する
ことを特徴とする請求項７に記載の方法。
【請求項９】
前記第２指示情報は前記第１端末装置のチャネル変化速度の大きさ、或いは前記第１端末装置のチャネル変化速度に対応した速度ランクを含むことを特徴とする請求項７又は８に記載の方法。
【請求項１０】
チャネルサウンディング基準信号（ＳＲＳ）を伝送する端末装置であって、前記端末装置は、
ネットワーク機器が送信した第１指示情報を受信することに用いられ、前記第１指示情報は前記第１端末装置のＳＲＳを伝送するための第１シンボルの位置を指示する受信モジュール、及び
前記第１シンボルで前記ネットワーク機器へ前記第１端末装置のＳＲＳを送信するための送信モジュール、
を備える、ことを特徴とするＳＲＳを伝送する端末装置。
【請求項１１】
前記第１指示情報が前記第１端末装置のＳＲＳを伝送するための第１シンボルの位置を指示することは、
前記第１指示情報が、前記第１端末装置のＳＲＳを伝送するための第１シンボルの第１アップリンクサブフレームにおける位置を指示すること、を含む、
ことを特徴とする請求項１０に記載の端末装置。
【請求項１２】
前記第１アップリンクサブフレームは複数の端末装置のＳＲＳを伝送するための複数のシンボルを含み、前記複数の端末装置は前記第１端末装置を含み、前記複数のシンボルは前記第１シンボルを含む、
ことを特徴とする請求項１１に記載の端末装置。
【請求項１３】
前記第１端末装置のＳＲＳを伝送するための前記第１シンボルの長さは、前記第１端末装置のダウンリンクデータを伝送するための第２シンボルの長さと同じではない
ことを特徴とする請求項１０〜１２のいずれか１項に記載の端末装置。
【請求項１４】
前記第１端末装置が前記ネットワーク機器から受信した前記第１指示情報は、前記第１端末装置のＳＲＳを伝送するための周波数領域リソースを更に指示する
ことを特徴とする請求項１０〜１３のいずれか１項に記載の端末装置。
【請求項１５】
前記第１端末装置のダウンリンクデータを伝送するための周波数領域リソースは、前記第１端末装置のＳＲＳを伝送するための周波数領域リソースと同じである
ことを特徴とする請求項１０〜１４のいずれか１項に記載の端末装置。
【請求項１６】
前記送信モジュールは更に、
前記ネットワーク機器へ前記第１端末装置のチャネル変化速度を指示するための第２指示情報を送信することに用いられ、
前記受信モジュールで前記ネットワーク機器から受信した前記第１指示情報は、前記第１端末装置のダウンリンクデータを伝送するための第２シンボルの位置を更に指示する
ことを特徴とする請求項１２〜１５のいずれか１項に記載の端末装置。
【請求項１７】
前記複数のシンボルは第２端末装置のＳＲＳを伝送するためのシンボルを更に含み、前記第１端末装置のチャネル変化速度は前記第２端末装置のチャネル変化速度より大きく、
前記第１端末装置のＳＲＳを伝送するための前記第１シンボルは、前記第２端末装置のＳＲＳを伝送するためのシンボルの後に位置し、且つ前記第１端末装置のダウンリンクデータを伝送するための第２シンボルは、前記第２端末装置のダウンリンクデータを伝送するためのシンボルの前に位置する
ことを特徴とする請求項１６に記載の端末装置。
【請求項１８】
前記第２指示情報は前記第１端末装置のチャネル変化速度の大きさ、或いは前記第１端末装置のチャネル変化速度に対応した速度ランクを含む
ことを特徴とする請求項１６又は１７に記載の端末装置。
【国際調査報告】
2019535171.tif 000024
2019535171.tif 000025
2019535171.tif 000026
2019535171.tif 000027